(57)【要約】ＵＥに適用可能なデータ伝送のための方法、装置、およびシステムは、ＵＥが、基地局を通してアップリンクインターフェースメッセージをＭＭＥに伝送することであって、アップリンクインターフェースメッセージは、データ伝送モードを切り替える命令を含み、データ伝送モードは、制御プレーン（ＣＰ）モード、ユーザプレーン（ＵＰ）モード、および／またはロングタームエボリューション（ＬＴＥ）モードを備える、ことと、ＵＥが、基地局によって伝送されるダウンリンク無線リソース制御（ＲＲＣ）メッセージを受信することであって、ダウンリンクＲＲＣメッセージは、データ伝送モードを切り替える命令を含む、ことと、ＵＥが、データ伝送モード切替命令に基づいてデータ伝送モードを切り替え、データ伝送を実装するために切替後のデータ伝送モードを使用することとを含む。
2019508957.tif 000002
【特許請求の範囲】
【請求項１】
データ伝送のための方法であって、
ＵＥが、基地局を通してアップリンクインターフェースメッセージをモビリティ管理エンティティ（ＭＭＥ）に伝送することであって、前記アップリンクインターフェースメッセージは、データ伝送モードを変更する命令を含み、データ伝送モードは、ＣＰモード、ＵＰモード、および／またはロングタームエボリューションモードを備える、ことと、
前記ＵＥが、前記基地局によって伝送されるダウンリンク無線リソース制御（ＲＲＣ）メッセージを受信することであって、前記ダウンリンクＲＲＣメッセージは、データ伝送モードを変更する命令を含む、ことと、
前記ＵＥが、データ伝送モード切替命令に従ってデータ伝送モードを切り替え、データ伝送のために前記切替後のデータ伝送モードを使用することと
を含む、方法。
【請求項２】
前記切替後のデータ伝送モードは、前記ＵＰモードまたは前記ＬＴＥモードであり、切替前のデータ伝送モードは、前記ＣＰモードであり、前記ダウンリンクＲＲＣメッセージはさらに、確立を示すデータ無線ベアラ（ＤＲＢ）情報を備え、
前記ＵＥがデータ伝送モードを変更する前記命令に基づいてデータ伝送モードを切り替えた後に、前記方法はさらに、前記ＵＥが、確立を示す前記ＤＲＢ情報に基づいて、対応するＤＲＢ情報を確立することを含む、請求項１に記載のデータ伝送方法。
【請求項３】
前記切替後のデータ伝送モードは、前記ＣＰモードであり、前記ダウンリンクＲＲＣメッセージはさらに、削除を示すＤＲＢ情報を備え、
前記ＵＥがデータ伝送モードを変更する前記命令に基づいてデータ伝送モードを切り替えた後に、前記方法はさらに、前記ＵＥが、削除を示す前記ＤＲＢ情報に基づいて、対応するＤＲＢ情報を削除することを含む、請求項１に記載のデータ伝送方法。
【請求項４】
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記ダウンリンクＲＲＣメッセージはさらに、以下：確立を示すＤＲＢ情報、再構成を示すＤＲＢ情報、および削除を示すＤＲＢ情報のうちの１つ以上を備え、
前記ＵＥがデータ伝送モードを変更する前記命令に基づいてデータ伝送モードを切り替えた後に、前記方法はさらに、前記ＵＥが、前記ダウンリンクＲＲＣメッセージのコンテンツに基づいて、対応するＤＲＢ情報を構成することを含む、請求項１に記載のデータ伝送方法。
【請求項５】
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、請求項１〜請求項４のいずれかに記載のデータ伝送方法。
【請求項６】
前記ＵＥが前記基地局を通して前記アップリンクインターフェースメッセージを前記モビリティ管理エンティティ（ＭＭＥ）に伝送する前に、前記方法はさらに、
前記ＵＥが、前記アタッチプロシージャを使用し、前記基地局とのデータ伝送を実装することと、
前記ＵＥが、前記基地局および前記ＭＭＥのためのデータ伝送モードサポート状況を記憶することと、
前記ＵＥが、現在のサービスタイプに従ってデータ伝送モードを切り替えることを判定することと
を含む、請求項１〜請求項４のいずれかに記載のデータ伝送方法。
【請求項７】
前記ＵＥが前記基地局を通して前記アップリンクインターフェースメッセージを前記モバイル管理エンティティ（ＭＭＥ）に伝送することは、前記ＵＥが、データ伝送モードを変更する命令を搬送するアップリンクＲＲＣメッセージを前記基地局に伝送することを含み、
前記アップリンクＲＲＣメッセージは、前記アップリンクインターフェースメッセージを前記ＭＭＥに伝送するように前記基地局に命令するために使用され、
前記ダウンリンクＲＲＣメッセージは、前記基地局が受信されたダウンリンクインターフェースメッセージに基づいてデータ伝送モードを切り替えた後に、前記ＵＥに伝送され、前記ダウンリンクインターフェースメッセージは、データ伝送モードを変更する命令を含む、請求項１〜請求項４のいずれかに記載のデータ伝送方法。
【請求項８】
前記ＵＥが前記基地局を通して前記アップリンクインターフェースメッセージを前記モバイル管理エンティティ（ＭＭＥ）に伝送することは、前記ＵＥが、データ伝送モードを変更する命令を搬送するアップリンク非アクセス層（ＮＡＳ）メッセージを前記基地局に伝送することを含み、
前記アップリンクＮＡＳメッセージは、前記アップリンクインターフェースメッセージを前記ＭＭＥに伝送するように前記基地局に命令するために使用され、
前記ダウンリンクＲＲＣメッセージは、前記基地局が受信されたダウンリンクインターフェースメッセージに基づいてデータ伝送モードを切り替えた後に、前記ＵＥに伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、請求項１〜請求項４のいずれかに記載のデータ伝送方法。
【請求項９】
データ伝送のための方法であって、
基地局が、アップリンクインターフェースメッセージをモビリティ管理エンティティ（ＭＭＥ）に伝送することであって、前記アップリンクインターフェースメッセージは、データ伝送モードを変更する命令を含み、データ伝送モードは、ＣＰモード、ＵＰモード、および／またはロングタームエボリューションモードを備える、ことと、
前記基地局が、前記ＭＭＥによって伝送されるダウンリンクインターフェースメッセージを受信することであって、前記ダウンリンクインターフェースメッセージは、データ伝送モードを変更する命令を含む、ことと、
前記基地局が、データ伝送モードを変更する前記命令に従ってデータ伝送モードを切り替えることと、
前記基地局が、ダウンリンク無線リソース制御（ＲＲＣ）メッセージをＵＥに伝送することであって、前記ダウンリンクＲＲＣメッセージは、データ伝送モードを変更する命令を含む、ことと
を含む、方法。
【請求項１０】
前記切替後のデータ伝送モードは、前記ＵＰモードまたは前記ＬＴＥモードであり、切替前のデータ伝送モードは、前記ＣＰモードであり、前記ダウンリンクインターフェースメッセージはさらに、確立を示すサービスベアラ情報を備え、
前記基地局がデータ伝送モードを変更する前記命令に従ってデータ伝送モードを切り替えた後に、前記方法はさらに、前記基地局が、確立を示す前記サービスベアラ情報に基づいて、対応するサービスベアラ情報を確立することを含む、請求項９に記載のデータ伝送方法。
【請求項１１】
前記基地局がデータ伝送モードを変更する前記命令に従ってデータ伝送モードを切り替えた後に、前記方法はさらに、前記基地局が、前記切替後のデータ伝送モードに基づいて、ベアラサービスのデータ無線ベアラ（ＤＲＢ）情報を確立することを含み、前記ダウンリンクＲＲＣメッセージはさらに、確立を示すＤＲＢ情報を備える、請求項１０に記載のデータ伝送方法。
【請求項１２】
前記切替後のデータ伝送モードは、前記ＣＰモードであり、前記ダウンリンクインターフェースメッセージはさらに、削除を示すサービスベアラ情報を備え、
前記基地局がデータ伝送モードを変更する前記命令に従ってデータ伝送モードを切り替えた後に、前記方法はさらに、前記基地局が、削除を示す前記サービスベアラ情報に基づいて、対応するサービスベアラ情報を削除することを含む、請求項９に記載のデータ伝送方法。
【請求項１３】
前記基地局がデータ伝送モードを変更する前記命令に従ってデータ伝送モードを切り替えた後に、前記方法はさらに、前記基地局が、前記切替後のデータ伝送モードに従って、前記ベアラサービスの前記データ無線ベアラ（ＤＲＢ）情報を削除することを含み、前記ダウンリンクＲＲＣメッセージはさらに、削除を示すＤＲＢ情報を備える、請求項１２に記載のデータ伝送方法。
【請求項１４】
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記ダウンリンクインターフェースメッセージはさらに、以下：確立を示すサービスベアラ情報、再構成を示すサービスベアラ情報、および削除を示すサービスベアラ情報のうちの１つ以上を備え、
前記基地局がデータ伝送モードを変更する前記命令に従ってデータ伝送モードを切り替えた後に、前記方法はさらに、前記基地局が、前記ダウンリンクインターフェースメッセージのコンテンツに基づいて、対応するサービスベアラ情報を構成することを含む、請求項９に記載のデータ伝送方法。
【請求項１５】
前記基地局がデータ伝送モードを変更する前記命令に従ってデータ伝送モードを切り替えた後に、前記方法はさらに、前記基地局が、前記切替後のデータ伝送モードに基づいて、前記ベアラサービスのデータ無線ベアラ（ＤＲＢ）情報を構成することを含み、前記ダウンリンクＲＲＣメッセージはさらに、以下：確立を示すＤＲＢ情報、再構成を示すＤＲＢ情報、および削除を示すＤＲＢ情報のうちの１つ以上を備える、請求項１４に記載のデータ伝送方法。
【請求項１６】
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、請求項９〜請求項１５のいずれかに記載のデータ伝送方法。
【請求項１７】
前記基地局が、前記アップリンクインターフェースメッセージを前記モビリティ管理エンティティ（ＭＭＥ）に伝送することは、前記基地局が、受信されたアップリンクＲＲＣメッセージに基づいて、前記アップリンクインターフェースメッセージを前記ＭＭＥに伝送することを含み、
前記アップリンクＲＲＣメッセージは、データ伝送モードを変更する命令を含み、データ伝送モードを変更する前記命令は、現在のサービスタイプに従って前記ＵＥがデータ伝送モードを切り替えることを判定した後に、前記アップリンクＲＲＣメッセージに追加され、
前記ダウンリンクインターフェースメッセージは、前記ＭＭＥがデータ伝送モードを変更する前記命令に基づいてデータ伝送モードを切り替えた後に、前記基地局に伝送される、請求項９〜請求項１５のいずれかに記載のデータ伝送方法。
【請求項１８】
前記基地局が、前記アップリンクインターフェースメッセージを前記モビリティ管理エンティティ（ＭＭＥ）に伝送することは、前記基地局が、受信されたアップリンク非アクセス層（ＮＡＳ）メッセージに基づいて、前記アップリンクインターフェースメッセージを前記ＭＭＥに伝送することを含み、
前記アップリンクＮＡＳメッセージは、データ伝送モードを変更する命令を含み、データ伝送モードを変更する前記命令は、現在のサービスタイプに従って前記ＵＥがデータ伝送モードを切り替えることを判定した後に、前記アップリンクＮＡＳメッセージに追加され、
前記ダウンリンクインターフェースメッセージは、前記ＭＭＥがデータ伝送モードを切り替える前記命令に基づいてデータ伝送モードを切り替えた後に、前記基地局に伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、請求項９〜請求項１５のいずれかに記載のデータ伝送方法。
【請求項１９】
データ伝送のための方法であって、
モビリティ管理エンティティ（ＭＭＥ）が、基地局によって伝送されるアップリンクインターフェースメッセージを受信することであって、前記アップリンクインターフェースメッセージは、データ伝送モードを変更する命令を含み、データ伝送モードは、ＣＰモード、ＵＰモード、および／またはロングタームエボリューションモードを備える、ことと、
前記ＭＭＥが、データ伝送モードを変更する前記命令に従ってデータ伝送モードを切り替えることと、
前記ＭＭＥが、ダウンリンクインターフェースメッセージを前記基地局に伝送することであって、前記ダウンリンクインターフェースメッセージは、データ伝送モードを変更する命令を含む、ことと
を含む、方法。
【請求項２０】
前記切替後のデータ伝送モードは、前記ＵＰモードまたは前記ＬＴＥモードであり、切替前のデータ伝送モードは、前記ＣＰモードであり、前記ダウンリンクインターフェースメッセージはさらに、確立を示すサービスベアラ情報を備える、請求項１９に記載のデータ伝送方法。
【請求項２１】
前記切替後のデータ伝送モードは、前記ＣＰモードであり、前記ダウンリンクインターフェースメッセージはさらに、削除を示すサービスベアラ情報を備える、請求項１９に記載のデータ伝送方法。
【請求項２２】
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記ダウンリンクインターフェースメッセージはさらに、以下：確立を示すサービスベアラ情報、再構成を示すサービスベアラ情報、および削除を示すサービスベアラ情報のうちの１つ以上を備える、請求項１９に記載のデータ伝送方法。
【請求項２３】
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、請求項１９〜請求項２２のいずれかに記載のデータ伝送方法。
【請求項２４】
前記アップリンクインターフェースメッセージは、前記基地局がアップリンク無線リソース制御（ＲＲＣ）メッセージを受信した後に、前記ＭＭＥに伝送され、前記アップリンクＲＲＣメッセージは、データ伝送モードを変更する命令を含み、データ伝送モードを変更する前記命令は、現在のサービスタイプに基づいてＵＥがデータ伝送モードを切り替えることを判定した後に、前記アップリンクＲＲＣメッセージに追加される、請求項１９〜請求項２２のいずれかに記載のデータ伝送方法。
【請求項２５】
前記アップリンクインターフェースメッセージは、前記基地局がアップリンク非アクセス層（ＮＡＳ）メッセージを受信した後に、前記ＭＭＥに伝送され、前記アップリンクＮＡＳメッセージは、データ伝送モードを変更する命令を含み、データ伝送モードを変更する前記命令は、現在のサービスタイプに従ってＵＥがデータ伝送モードを切り替えることを判定した後に、前記アップリンクＮＡＳメッセージに追加され、前記ダウンリンクインターフェースメッセージは、データ伝送モードを変更する命令を搬送するダウンリンクＲＲＣメッセージを前記ＵＥに伝送するように前記基地局に命令するために使用され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、請求項１９〜請求項２２のいずれかに記載のデータ伝送方法。
【請求項２６】
ＵＥのために構成されたデータ伝送装置であって、
基地局を通してアップリンクインターフェースメッセージをモビリティ管理エンティティ（ＭＭＥ）に伝送するように構成される、伝送モジュールであって、前記アップリンクインターフェースメッセージは、データ伝送モードを変更する命令を含み、データ伝送モードは、ＣＰモード、ＵＰモード、および／またはロングタームエボリューションモードを備える、伝送モジュールと、
前記基地局によって伝送されるダウンリンク無線リソース制御（ＲＲＣ）メッセージを受信するように構成される、前記伝送モジュールに接続された受信機モジュールであって、前記ダウンリンクＲＲＣメッセージは、データ伝送モードを変更する命令を含む、受信機モジュールと、
前記受信機モジュールによって受信される、データ伝送モードを切り替える命令に従って、データ伝送モードを切り替えるように構成される、前記受信機モジュールに接続されたモード切替モジュールと
を備え、
前記伝送モジュールおよび前記受信機モジュールはさらに、前記モード切替モジュールがデータ伝送を実装するために切り替わったデータ伝送モードを使用するように構成される、データ伝送装置。
【請求項２７】
前記切替後のデータ伝送モードは、前記ＵＰモードまたは前記ＬＴＥモードであり、切替前のデータ伝送モードは、前記ＣＰモードであり、前記ダウンリンクＲＲＣメッセージはさらに、確立を示すデータ無線ベアラ（ＤＲＢ）情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信される前記データ伝送モード切替命令に基づいてデータ伝送モードを切り替えた後に、前記受信機モジュールによって受信される確立を示す前記ＤＲＢ情報に基づいて、対応するＤＲＢ情報を確立するように構成される、請求項２６に記載のデータ伝送装置。
【請求項２８】
前記切替後のデータ伝送モードは、前記ＣＰモードであり、前記受信機モジュールによって受信される前記ダウンリンクＲＲＣメッセージはさらに、削除を示すＤＲＢ情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される削除を示す前記ＤＲＢ情報に基づいて、対応するＤＲＢ情報を削除するように構成される、請求項２６に記載のデータ伝送装置。
【請求項２９】
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記受信機モジュールによって受信される前記ダウンリンクＲＲＣメッセージはさらに、以下：確立を示すＤＲＢ情報、再構成を示すＤＲＢ情報、および削除を示すＤＲＢ情報のうちの１つ以上を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される前記ダウンリンクＲＲＣメッセージのコンテンツに基づいて、対応するＤＲＢ情報を構成するように設定される、請求項２６に記載のデータ伝送装置。
【請求項３０】
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、請求項２６〜請求項２９のいずれかに記載のデータ伝送装置。
【請求項３１】
前記伝送モジュールおよび前記受信機モジュールはさらに、前記伝送モジュールが前記アップリンクインターフェースメッセージを前記ＭＭＥに伝送するように前記基地局に命令する前に、アタッチプロシージャを通して前記基地局とのデータ伝送を実装するように構成され、前記ＵＥは、前記基地局および前記ＭＭＥのためのデータ伝送モードサポート状況を記憶し、
前記データ伝送装置はさらに、前記伝送モジュールに接続され、現在のサービスタイプに従って前記データ伝送モードを判定するように構成される、モード判定モジュールを備える、請求項２６〜請求項２９のいずれかに記載のデータ伝送装置。
【請求項３２】
前記伝送モジュールは、データ伝送モードを変更する命令を搬送するアップリンクＲＲＣメッセージを前記基地局に伝送するように構成され、
前記受信機モジュールによって受信される前記ダウンリンクＲＲＣメッセージは、前記基地局が受信されたダウンリンクインターフェースメッセージに基づいてデータ伝送モードを切り替えた後に、前記ＵＥに伝送され、前記ダウンリンクインターフェースメッセージは、データ伝送モードを変更する命令を含む、請求項２６〜請求項２９のいずれかに記載のデータ伝送装置。
【請求項３３】
前記伝送モジュールは、データ伝送モードを変更する命令を搬送するアップリンク非アクセス層（ＮＡＳ）メッセージを前記基地局に伝送するように構成され、前記アップリンクＮＡＳメッセージは、前記アップリンクインターフェースメッセージを前記ＭＭＥに伝送するように前記基地局に命令するために使用され、
前記受信機モジュールによって受信される前記ダウンリンクＲＲＣメッセージは、前記基地局が受信されたダウンリンクインターフェースメッセージに基づいてデータ伝送モードを切り替えた後に、前記ＵＥに伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、請求項２６〜請求項２９のいずれかに記載のデータ伝送装置。
【請求項３４】
基地局のために構成されたデータ伝送装置であって、
アップリンクインターフェースメッセージをＭＭＥに伝送するように構成される、伝送モジュールであって、前記アップリンクインターフェースメッセージは、データ伝送モードを変更する命令を含み、データ伝送モードは、ＣＰモード、ＵＰモード、および／またはロングタームエボリューションモードを備える、伝送モジュールと、
前記ＭＭＥによって伝送されるダウンリンクインターフェースメッセージを受信するように構成される、前記伝送モジュールに接続された受信機モジュールであって、前記ダウンリンクインターフェースメッセージは、データ伝送モードを変更する命令を含む、受信機モジュールと、
前記受信機モジュールによって受信される、データ伝送モードを切り替える命令に従って、データ伝送モードを切り替えるように構成される、前記受信機モジュールに接続されたモード切替モジュールと
を備え、
前記伝送モジュールはさらに、ダウンリンクＲＲＣメッセージをＵＥに伝送するように構成され、前記ダウンリンクＲＲＣメッセージは、データ伝送モードを変更する命令を含む、データ伝送装置。
【請求項３５】
前記切替後のデータ伝送モードは、前記ＵＰモードまたは前記ＬＴＥモードであり、切替前のデータ伝送モードは、前記ＣＰモードであり、前記受信機モジュールによって受信される前記ダウンリンクインターフェースメッセージはさらに、確立を示すサービスベアラ情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される確立を示す前記サービスベアラ情報に基づいて、対応するサービスベアラ情報を確立するように構成される、請求項３４に記載のデータ伝送装置。
【請求項３６】
前記サービスベアラモジュールはまた、前記モード切替モジュールが前記受信機モジュールによって受信されるデータ伝送モードを変更する前記命令に基づいてデータ伝送モードを切り替えた後に、前記モード切替モジュールが切り替わったデータ伝送モードに基づいて、ベアラサービスのデータ無線ベアラ（ＤＲＢ）情報も確立し、前記伝送モジュールによって伝送される前記ダウンリンクＲＲＣメッセージはさらに、確立を示すＤＲＢ情報を備える、請求項３５に記載のデータ伝送装置。
【請求項３７】
前記切替後のデータ伝送モードは、前記ＣＰモードであり、前記受信機モジュールによって受信される前記ダウンリンクインターフェースメッセージはさらに、削除を示すサービスベアラ情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される削除を示す前記サービスベアラ情報に基づいて、対応するサービスベアラ情報を削除するように構成される、請求項３４に記載のデータ伝送装置。
【請求項３８】
前記サービスベアラモジュールは、前記モード切替モジュールが前記受信機モジュールによって受信されるデータ伝送モードを変更する前記命令に基づいてデータ伝送モードを切り替えた後に、前記モード切替モジュールが切り替わったデータ伝送モードに基づいて、ベアラサービスのデータ無線ベアラ（ＤＲＢ）情報を削除し、前記伝送モジュールによって伝送される前記ダウンリンクＲＲＣメッセージはさらに、削除を示すＤＲＢ情報を備える、請求項３７に記載のデータ伝送装置。
【請求項３９】
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記受信機モジュールによって受信される前記ダウンリンクインターフェースメッセージはさらに、以下：確立を示すサービスベアラ情報、再構成を示すサービスベアラ情報、および削除を示すサービスベアラ情報のうちの１つ以上を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される前記ダウンリンクインターフェースメッセージのコンテンツに基づいて、対応するサービスベアラ情報を構成するように設定される、請求項３４に記載のデータ伝送装置。
【請求項４０】
前記サービスベアラモジュールは、前記モード切替モジュールが前記受信機モジュールによって受信されるデータ伝送モードを変更する前記命令に基づいてデータ伝送モードを切り替えた後に、前記モード切替モジュールが切り替わったデータ伝送モードに基づいて、ベアラサービスのデータ無線ベアラ（ＤＲＢ）情報を構成し、前記伝送モジュールによって伝送される前記ダウンリンクＲＲＣメッセージはさらに、以下：確立を示すＤＲＢ情報、再構成を示すＤＲＢ情報、および削除を示すＤＲＢ情報のうちの１つ以上を備える、請求項３９に記載のデータ伝送装置。
【請求項４１】
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、請求項３４〜請求項４０のいずれかに記載のデータ伝送装置。
【請求項４２】
前記伝送モジュールは、前記受信機モジュールによって受信される前記アップリンクＲＲＣメッセージに基づいて、前記アップリンクインターフェースメッセージを前記ＭＭＥに伝送するように構成され、前記アップリンクＲＲＣメッセージは、データ伝送モードを変更する命令を含み、データ伝送モードを変更する前記命令は、現在のサービスタイプに従って前記ＵＥがデータ伝送モードを切り替えることを判定した後に、前記アップリンクＲＲＣメッセージに追加され、
前記受信機モジュールによって受信される前記ダウンリンクインターフェースメッセージは、前記ＭＭＥがデータ伝送モードを変更する前記命令に従ってデータ伝送モードを切り替えた後に、前記基地局に伝送される、請求項３４〜請求項４０のいずれかに記載のデータ伝送装置。
【請求項４３】
前記伝送モジュールは、前記受信機モジュールによって受信されるアップリンク非アクセス層（ＮＡＳ）メッセージに基づいて、前記アップリンクインターフェースメッセージを前記ＭＭＥに伝送するように構成され、前記アップリンクＮＡＳメッセージは、データ伝送モードを変更する命令を含み、データ伝送モードを変更する前記命令は、現在のサービスタイプに従って前記ＵＥがデータ伝送モードを切り替えることを判定した後に、前記アップリンクＮＡＳメッセージに追加され、
前記受信機モジュールによって受信される前記ダウンリンクインターフェースメッセージは、前記ＭＭＥがデータ伝送モードを切り替える前記命令に従ってデータ伝送モードを切り替えた後に、前記基地局に伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、請求項３４〜請求項４０のいずれかに記載のデータ伝送装置。
【請求項４４】
モビリティ管理エンティティ（ＭＭＥ）のために構成されたデータ伝送装置であって、
基地局によって伝送されるアップリンクインターフェースメッセージを受信するように構成される、受信機モジュールであって、前記アップリンクインターフェースメッセージは、データ伝送モードを変更する命令を含み、データ伝送モードは、ＣＰモード、ＵＰモード、および／またはロングタームエボリューションモードを備える、受信機モジュールと、
前記受信機モジュールによって受信されるデータ伝送モードを切り替える命令に従って、データ伝送モードを切り替えるように構成される、前記受信機モジュールに接続されたモード切替モジュールと、
ダウンリンクインターフェースメッセージを前記基地局に伝送するように構成される、それぞれ、前記受信機モジュールおよび前記モード切替モジュールに接続された伝送モジュールであって、前記ダウンリンクインターフェースメッセージは、データ伝送モードを変更する命令を含む、伝送モジュールと
を備える、データ伝送装置。
【請求項４５】
前記切替後のデータ伝送モードは、前記ＵＰモードまたは前記ＬＴＥモードであり、切替前のデータ伝送モードは、前記ＣＰモードであり、前記伝送モジュールによって伝送される前記ダウンリンクインターフェースメッセージはさらに、確立を示すサービスベアラ情報を備える、請求項４４に記載のデータ伝送装置。
【請求項４６】
前記切替後のデータ伝送モードは、前記ＣＰモードであり、前記伝送モジュールによって伝送される前記ダウンリンクインターフェースメッセージはさらに、削除を示すサービスベアラ情報を備える、請求項４４に記載のデータ伝送装置。
【請求項４７】
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記伝送モジュールによって伝送される前記ダウンリンクインターフェースメッセージはさらに、以下：確立を示すサービスベアラ情報、再構成を示すサービスベアラ情報、および削除を示すサービスベアラ情報のうちの１つ以上を備える、請求項４４に記載のデータ伝送装置。
【請求項４８】
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、請求項４４〜請求項４７のいずれかに記載のデータ伝送装置。
【請求項４９】
前記受信機モジュールによって受信される前記アップリンクインターフェースメッセージは、前記基地局がアップリンク無線リソース制御（ＲＲＣ）メッセージを受信した後に、前記ＭＭＥに伝送され、前記アップリンクＲＲＣメッセージは、データ伝送モードを変更する命令を含み、データ伝送モードを変更する前記命令は、現在のサービスタイプに基づいて前記ＵＥがデータ伝送モードを切り替えることを判定した後に、前記アップリンクＲＲＣメッセージに追加される、請求項４４〜請求項４７のいずれかに記載のデータ伝送装置。
【請求項５０】
前記受信機モジュールによって受信される前記アップリンクインターフェースメッセージは、前記基地局がアップリンク非アクセス層メッセージを受信した後に、前記ＭＭＥに伝送され、前記アップリンクＮＡＳメッセージは、データ伝送モードを変更する命令を含み、データ伝送モードを変更する前記命令は、現在のサービスタイプに従って前記ＵＥがデータ伝送モードを切り替えることを判定した後に、前記アップリンクＮＡＳメッセージに追加され、前記伝送モジュールによって伝送される前記ダウンリンクインターフェースメッセージは、データ伝送モードを変更する命令を搬送するダウンリンクＲＲＣメッセージを前記ＵＥに伝送するように前記基地局に命令するために使用され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、請求項４４〜請求項４７のいずれかに記載のデータ伝送装置。
【請求項５１】
ＵＥと、基地局と、モビリティ管理エンティティ（ＭＭＥ）とを備える、データ伝送のためのシステムであって、
前記ＵＥは、請求項２６〜請求項３３のうちのいずれかに記載のデータ伝送装置を有するように構成され、前記基地局は、請求項３４〜請求項４３のうちのいずれかに記載のデータ伝送装置を有するように構成され、ＭＭＥは、請求項４４〜請求項５０のうちのいずれかに記載のデータ伝送装置を有するように構成される、システム。
【請求項５２】
コンピュータ実行可能命令を記憶する、非一過性のコンピュータ可読記憶媒体であって、前記コンピュータ実行可能命令は、請求項１〜請求項８のうちのいずれかに記載の方法を実行するように構成される、非一過性のコンピュータ可読記憶媒体。
【請求項５３】
コンピュータ実行可能命令を記憶する、非一過性のコンピュータ可読記憶媒体であって、前記コンピュータ実行可能命令は、請求項９〜請求項１８のうちのいずれかに記載の方法を実行するように構成される、非一過性のコンピュータ可読記憶媒体。
【請求項５４】
コンピュータ実行可能命令を記憶する、非一過性のコンピュータ可読記憶媒体であって、前記コンピュータ実行可能命令は、請求項１９〜請求項２５のうちのいずれかに記載の方法を実行するように構成される、非一過性のコンピュータ可読記憶媒体。
【発明の詳細な説明】
【技術分野】
【０００１】
本開示は、通信の分野、特に、データ伝送のための方法、装置、およびシステムに関する。
【背景技術】
【０００２】
無線通信技術の急速な開発および通信に対する増加するユーザ需要に続いて、第５世代の通信技術（５Ｇ）が、すでに将来のネットワーク開発の傾向になっている。５Ｇの重要な用途は、適用のためのその大規模な潜在性により、多数のモバイルネットワークオペレータ、機器製造業者、および研究機関から広く注目を集めている、マシンタイプ通信（ＭＴＣ）であり、将来の無線通信技術のための重要な用途になるであろう。
【０００３】
ＭＴＣ適用分野は、急成長するモノのインターネットの重要なコンポーネントを構成する、スマートグリッド、知的輸送、スマートホーム（ホームオートメーション）、遠隔監視、および無線検閲ネットワークを備える。ＭＴＣデバイスをサポートするサービスは、多様である。殆どのＭＴＣ機器の要件は、通常、環境監視に使用される機器または農業で使用される大規模センサ等の低費用および低電力使用を含む。加えて、ＭＴＣデバイスをサポートする動作は、典型的には、時間遅延に関する厳密な要件を有していないが、高速伝送を要求する感応材料を有し得る。このことから、ＭＴＣ機器をサポートするサービスは、多様であり、例えば、周期的サービス報告、異常報告、ネットワークコマンド発行、およびソフトウェアバージョン更新を含むことが分かる。異なる動作がネットワークに要求するサービスの質（ＱｏＳ）もまた、異なる。
【０００４】
ＭＴＣ機器の費用およびネットワーク側のシステム支出を効果的に低減させるために、第３世代パートナーシッププロジェクト（３ＧＰＰ）規格は、データ伝送の最適化のための少量データ伝送の以下の２つのモード、すなわち、制御プレーン（ＣＰ）モードおよびユーザプレーン（ＵＰ）モードをもたらした。ＭＴＣデバイスは、典型的には、上記のモードのうちの１つを伴って構成されるが、ＭＴＣサービスが変化するとき、単一のデータ伝送モードのために構成されるＭＴＣデバイスは、複数のＭＴＣサービスのための異なるＱｏＳ要件を満たすことができず、データ伝送は、あまり知的ではない。
【発明の概要】
【発明が解決しようとする課題】
【０００５】
（本実施形態の内容）
本開示は、データ伝送のための方法、装置、およびシステムを提供する。本発明の実施形態では、ユーザ機器（ＵＥ）は、データ伝送モードの切替要求を能動的に開始し、したがって、変動するサービスのためのＱｏＳ要件を満たすとともに、データ伝送の知能を高めることができる。
【課題を解決するための手段】
【０００６】
第１に、本実施形態は、ＵＥが、基地局を通してアップリンクインターフェースメッセージをモビリティ管理エンティティ（ＭＭＥ）に伝送することであって、アップリンクインターフェースメッセージは、データ伝送モード切替命令を含有し、データ伝送モードは、ＣＰモード、ＵＰモード、および／またはロングタームエボリューションモードを備える、ことと、ＵＥが、基地局によって伝送されるダウンリンク無線リソース制御（ＲＲＣ）メッセージを受信することであって、ダウンリンクＲＲＣメッセージは、データ伝送モード切替命令を含有する、ことと、ＵＥが、データ伝送モード切替命令に従ってデータ伝送モードを切り替え、データ伝送のために切替後のデータ伝送モードを使用することとを含む、ＵＥに適用可能なデータ伝送のための方法を提供する。
【０００７】
第２に、本開示の実施形態はさらに、基地局が、アップリンクインターフェースメッセージをモビリティ管理エンティティ（ＭＭＥ）に伝送することであって、アップリンクインターフェースメッセージは、データ伝送モードを変更する命令を含み、データ伝送モードは、ＣＰモード、ＵＰモード、および／またはロングタームエボリューションモードを備える、ことと、基地局が、ＭＭＥによって伝送されるダウンリンクインターフェースメッセージを受信することであって、ダウンリンクインターフェースメッセージは、データ伝送モードを変更する命令を含む、ことと、基地局が、データ伝送モードを変更する命令に従ってデータ伝送モードを切り替えることと、基地局が、ダウンリンク無線リソース制御（ＲＲＣ）メッセージをＵＥに伝送することであって、ダウンリンクＲＲＣメッセージは、データ伝送モードを変更する命令を含む、こととを含む、端末に適用可能なデータ伝送のための方法を提供する。
【０００８】
第３に、本開示の実施形態は、モビリティ管理エンティティ（ＭＭＥ）が、基地局によって伝送されるアップリンクインターフェースメッセージを受信することであって、アップリンクインターフェースメッセージは、データ伝送モードを変更する命令を含み、データ伝送モードは、ＣＰモード、ＵＰモード、および／またはロングタームエボリューションモードを備える、ことと、ＭＭＥが、データ伝送モードを変更する命令に従ってデータ伝送モードを切り替えることと、ＭＭＥが、ダウンリンクインターフェースメッセージを基地局に伝送することであって、ダウンリンクインターフェースメッセージは、データ伝送モードを変更する命令を含む、こととを含む、モビリティ管理エンティティ（ＭＭＥ）に適用可能なデータ伝送のための方法を提供する。
【０００９】
第４に、本開示の実施形態は、基地局を通してアップリンクインターフェースメッセージをＭＭＥに伝送するように構成される、伝送モジュールであって、アップリンクインターフェースメッセージは、データ伝送モードを変更する命令を含み、データ伝送モードは、ＣＰモード、ＵＰモード、および／またはロングタームエボリューションモードを備える、伝送モジュールと、基地局によって伝送されるダウンリンクＲＲＣメッセージを受信するように構成される、伝送モジュールに接続された受信機モジュールであって、ダウンリンクＲＲＣメッセージは、データ伝送モードを変更する命令を含む、受信機モジュールと、受信機モジュールによって受信される、データ伝送モードを切り替える命令に従って、データ伝送モードを切り替えるように構成される、受信機モジュールに接続されたモード切替モジュールとを備え、伝送モジュールおよび受信機モジュールはさらに、モード切替モジュールがデータ伝送のために切り替わったデータ伝送モードを使用するように構成される、端末のために構成されるデータ伝送のための装置を提供する。
【００１０】
第５に、本開示の実施形態は、アップリンクインターフェースメッセージをＭＭＥに伝送するように構成される、伝送モジュールであって、アップリンクインターフェースメッセージは、データ伝送モードを変更する命令を含み、データ伝送モードは、ＣＰモード、ＵＰモード、および／またはロングタームエボリューションモードを備える、伝送モジュールと、ＭＭＥによって伝送されるダウンリンクインターフェースメッセージを受信するように構成される、伝送モジュールに接続された受信機モジュールであって、ダウンリンクインターフェースメッセージは、データ伝送モードを変更する命令を含む、受信機モジュールと、受信機モジュールによって受信される、データ伝送モードを切り替える命令に従って、データ伝送モードを切り替えるように構成される、受信機モジュールに接続されたモード切替モジュールとを備え、伝送モジュールはさらに、ダウンリンクＲＲＣメッセージをＵＥに伝送するように構成され、ダウンリンクＲＲＣメッセージは、データ伝送モードを変更する命令を含む、基地局のために構成されるデータ伝送のための装置を提供する。
【００１１】
第６に、本開示の実施形態は、基地局によって伝送されるアップリンクインターフェースメッセージを受信するように構成される、受信機モジュールであって、アップリンクインターフェースメッセージは、データ伝送モードを変更する命令を含み、データ伝送モードは、ＣＰモード、ＵＰモード、および／またはロングタームエボリューションモードを備える、受信機モジュールと、受信機モジュールによって受信される、データ伝送モードを切り替える命令に従って、データ伝送モードを切り替えるように構成される、受信機モジュールに接続されたモード切替モジュールと、ダウンリンクインターフェースメッセージを基地局に伝送するように構成される、それぞれ、受信機モジュールおよびモード切替モジュールに接続された伝送モジュールであって、ダウンリンクインターフェースメッセージは、データ伝送モードを変更する命令を含む、伝送モジュールとを備える、ＭＭＥのために構成されるデータ伝送のための装置を提供する。
【００１２】
第７に、本開示の実施形態は、ＵＥと、基地局と、ＭＭＥとを備える、データ伝送のためのシステムを提供し、ＵＥは、上記で概説される第４の側面のデータ伝送のための装置のうちのいずれかを有するように構成され、基地局は、上記で概説される第５の側面のデータ伝送のための装置のうちのいずれかを有するように構成され、ＭＭＥは、上記で概説される第６の側面のデータ伝送のための装置のうちのいずれかを有するように構成される。
【００１３】
第８に、本開示の実施形態はさらに、コンピュータ実行可能命令を記憶する、非一過性のコンピュータ可読記憶媒体を提供し、コンピュータ実行可能命令は、本明細書に概説されるＵＥ側データ伝送方法のうちのいずれかを実行するように構成される。
【００１４】
第９に、本開示の実施形態はさらに、コンピュータ実行可能命令を記憶する、非一過性のコンピュータ可読記憶媒体を提供し、コンピュータ実行可能命令は、本明細書に概説される基地局側データ伝送方法のうちのいずれかを実行するように構成される。
【００１５】
第１０に、本開示の実施形態はさらに、コンピュータ実行可能命令を記憶する、非一過性のコンピュータ可読記憶媒体を提供し、コンピュータ実行可能命令は、本明細書に概説されるＭＭＥ側データ伝送方法のうちのいずれかを実行するように構成される。
【００１６】
第１１に、本開示の実施形態はさらに、少なくとも１つのプロセッサと、少なくとも１つのプロセッサにリンクされるメモリとを備える、電子デバイスを提供し、メモリは、少なくとも１つのプロセッサによって実行可能な命令を記憶し、命令は、少なくとも１つのプロセッサが本明細書に概説されるＵＥ側データ伝送方法のうちのいずれかを実行するために、少なくとも１つのプロセッサによって実行される。
【００１７】
第１２に、本開示の実施形態はさらに、少なくとも１つのプロセッサと、少なくとも１つのプロセッサにリンクされるメモリとを備える、電子デバイスを提供し、メモリは、少なくとも１つのプロセッサによって実行可能な命令を記憶し、命令は、少なくとも１つのプロセッサが本明細書に概説される基地局側データ伝送方法のうちのいずれかを実行するために、少なくとも１つのプロセッサによって実行される。
【００１８】
第１３に、本開示の実施形態はさらに、少なくとも１つのプロセッサと、少なくとも１つのプロセッサにリンクされるメモリとを備える、電子デバイスを提供し、メモリは、少なくとも１つのプロセッサによって実行可能な命令を記憶し、命令は、少なくとも１つのプロセッサが本明細書に概説されるＭＭＥ側データ伝送方法のうちのいずれかを実行するために、少なくとも１つのプロセッサによって実行される。
【００１９】
本実施形態のデータ伝送のための方法、装置、およびシステム内で、ＵＥは、データ伝送モードを変更する命令を搬送する、アップリンクインターフェースメッセージを伝送し、続いて、ＵＥは、基地局によって伝送されるダウンリンクＲＲＣメッセージを受信し、同様に、ダウンリンクＲＲＣメッセージは、データ伝送モードを切り替える命令を含む。ＵＥは、したがって、ダウンリンクＲＲＣメッセージのデータ伝送モードを変更する命令に基づいて、データ伝送モード切替動作を実行し、データ伝送を実装するために切替後のデータ伝送モードを使用し、データ伝送モードは、ＣＰモードと、ＵＰモードと、ＬＴＥモードとを備える。本開示の実施形態では、ＵＥは、データ伝送モードを切り替える要求を能動的に開始し、このようにして、ＵＥとネットワーク側との間のデータ伝送は、異なる伝送モードの間で切り替えられることができ、それによって、異なるサービスのためのＱｏＳ要件を満たし、データ伝送の知能を高める。
【００２０】
付随する図面は、本実施形態の技術的ソリューションの理解を促進するために提供され、その説明の構成要素としての役割を果たす。図面は、本願の技術的ソリューションを解説するために、本開示の実施形態とともに使用されるものであり、本開示の技術的ソリューションを限定する役割を果たすものではない。
【図面の簡単な説明】
【００２１】
【図１】図１は、本開示の実施形態によって提供される、データ伝送方法のフローチャートである。
【図２】図２は、本開示の実施形態によって提供される、データ伝送方法の別のフローチャートである。
【図３】図３は、本開示の実施形態によって提供される、データ伝送方法の別のフローチャートである。
【図４】図４は、本開示の実施形態によって提供される、データ伝送方法の別のフローチャートである。
【図５】図５は、本開示の実施形態によって提供される、データ伝送方法の別のフローチャートである。
【図６】図６は、本開示の実施形態によって提供される、データ伝送方法の別のフローチャートである。
【図７】図７は、本開示の実施形態によって提供される、データ伝送方法の別のフローチャートである。
【図８】図８は、本開示の実施形態によって提供される、データ伝送方法の別のフローチャートである。
【図９】図９は、本開示の実施形態によって提供される、データ伝送方法の別のフローチャートである。
【図１０】図１０は、本開示の実施形態によって提供される、データ伝送方法のシグナリング相互作用フローチャートである。
【図１１】図１１は、本開示の実施形態によって提供される、データ伝送方法の別のシグナリング相互作用フローチャートである。
【図１２】図１２は、本開示の実施形態によって提供される、データ伝送装置の概略図である。
【図１３】図１３は、本開示の実施形態によって提供される、データ伝送装置の別の概略図である。
【図１４】図１４は、本開示の実施形態によって提供される、データ伝送装置の別の概略図である。
【図１５】図１５は、本開示の実施形態によって提供される、データ伝送装置の別の概略図である。
【図１６】図１６は、本開示の実施形態によって提供される、データ伝送装置の別の概略図である。
【図１７】図１７は、本開示の実施形態によって提供される、データ伝送システムの概略図である。
【図１８】図１８は、本開示の実施形態によって提供される、ユーザ機器の概略図である。
【図１９】図１９は、本開示の実施形態によって提供される、基地局の概略図である。
【図２０】図２０は、本開示の実施形態によって提供される、モビリティ管理エンティティの概略図である。
【発明を実施するための形態】
【００２２】
（詳細な説明）
本開示の実施形態は、付随する図面を参照して、以下で詳細に説明される。実施形態およびそれらの特性は、矛盾しない様式で随意に組み合わせられ得る。
【００２３】
付随するフローチャートに図示されるステップは、例えば、コンピュータシステム内のコンピュータ実行可能命令のセットによって実行されることができ、フローチャートは、実行の論理的順序を図示するが、図示または説明されるステップは、ある場合には、本明細書のものと異なる順序で実行されることができる。
【００２４】
狭帯域モノのインターネット（ＮＢ−ＩｏＴ）のデータ伝送モードに属し、上記で説明される３ＧＰＰ規格の少量データ伝送モードは、ＵＥ費用を低減させること、および少量データ伝送の特性を精緻化することの両方を行うことができる。ＣＰモードは、非アクセス層（ＮＡＳ）パケットデータ単位（ＰＤＵ）、すなわち、ＮＡＳ  ＰＤＵにデータパケットを圧縮し、伝送のためにＮＡＳ  ＰＤＵを制御プレーン信号にアタッチする。ＵＰモードでは、端末およびネットワーク側は、データ伝送のためにデータ無線ベアラ（ＤＲＢ）を使用し、データ伝送が完了した後、両者は、ベアラ情報コンテキストおよびアクセス層（ＡＳ）セキュリティコンテキスト等を記憶する。データがもう一度伝送されるとき、両者は、一時停止・アクティブ化フローを通してＤＲＢの使用を迅速に再開する。
【００２５】
これらの少量データ伝送方法はそれぞれ、その良い点と悪い点とを有する。ＣＰモードは、以下の利点、すなわち、シグナリング、システム支出、および端末電力使用の保存を有し、その不利点は、以下の通りである。すなわち、第１に、いかなるＤＲＢもＣＰモードでは確立されず、安全性能が、比較的不良であり得る。故に、基地局もＵＥも、ＡＳセキュリティコンテキストを有しておらず、データ上でＡＳ層暗号化を実装する方法がない。第２に、信号にアタッチされるＮＡＳ  ＰＤＵが限定され、伝送されたデータパケットの長さが限定されることを考慮して、これは、比較的大量のデータの伝送のために好適ではない。大量のデータが、比較的小さいパケットに分割されなければならず、ＭＴＣ機器が、典型的には、不良なカバレッジを有するため、パケットが容易に失われる。結果として、受信機が完全なパケットを受信することは困難である。さらに、ＣＰモードは、データ伝送にシグナリングを利用し、多すぎる少量データパケットは、多すぎる信号伝送をもたらし、多すぎるリソースを占有するであろう。加えて、低優先度データサービスが、多すぎるスケジューリングリソースを占有する。ＭＴＣ端末は、典型的には、比較的低い優先度を伴う周期的レポートデータを伝送するが、データが伝送のためにエアインターフェース層信号にアタッチされるため、これは、共通無線リソース制御（ＲＲＣ）信号と同一のスケジューリング優先度を受信し、したがって、実際のＲＲＣアクセス信号（ＭＴＣデータを伴わずに伝送されるＲＲＣシグナリング）のスケジューリング優先度を侵害し、より多くのエアインターフェース障害をもたらし得る。これ以外に、ネットワークが、伝送のための制御プレーン最適化モードおよび伝送のためのＤＲＢを利用してデータを同時にサポートするとき、シグナリング無線ベアラ（ＳＲＢ）の優先度レベルが、常にＤＲＢのものよりも優れているため、低優先度レベルは、常に、それらが最初に処理されるように、ＤＲＢよりも高いスケジューリング優先度レベルを獲得することができる。これは、ＤＲＢ伝送の高優先度サービススケジューリングを保証することをできなくし得る。ＵＰモードは、以下の利点を有する。すなわち、第１に、暗号化が、比較的に良好である。ＡＳセキュリティコンテキストが留保されるため、本システムは、データにＡＳ層暗号化を実装することができる。暗号化結果は、ＮＡＳ層暗号化のものよりも良好な保証を有する。第２に、比較的大きいレートの伝送またはデータの大きいパケットのためのサポートが、比較的良好である。ＵＰは、以下の不利点を有する。すなわち、第１に、シグナリング最適化結果に関して、ＵＰモードは、ＣＰモードと同量のシグナリングを保存することができない。ＵＰは、データを伝送する前に、最初にベアラコンテキスト情報を回収しなければならず、相対的に言って、その信号最適化結果は、比較的不良である。第２に、ＵＥアクセスセルの変更は、付加的コンテキスト転送オーバーヘッドにつながる。サービスベアラコンテキストの配分およびサイトの関係に起因して、ＵＥによってアクセスされるサイトまたはセルが変化するとき、ネットワーク側は、サイトの間のコンテキストの配信もしくは修正のい���れかを行わなければならない。
【００２６】
上記で説明されるデータ伝送モードは、異なるサービスに適用可能であり、火災警報機器は、例えば、以下のサービスタイプを含む。
【００２７】
サービス１、周期的救命レポート情報：本サービスは、高い時間遅延要件を有しておらず、そのデータは、わずか１０バイトである。
【００２８】
サービス２、火災警報レポート情報：本サービスは、比較的高い時間遅延要件を有し、そのデータ量は、数十バイトほども小さく、または関連ビデオ情報が報告される必要があり得るため１メガバイト（Ｍ）ほども大きくあり得る。
【００２９】
サービス３、サーバコマンド：本サービスは、比較的高い時間遅延要件と、数十バイトほども低く、またはさらに低いデータ量とを有する。
【００３０】
サービス４、ソフトウェアバージョン更新：本サービスは、比較的低い時間遅延要件と、数メガバイトと同量の比較的大きいデータ量とを有する。
【００３１】
同一のＵＥがデータ伝送を実装するとき、上記で説明される異なるサービスが存在し得る。ＣＰモードを使用するとき、サービス２およびサービス４の大きなデータ伝送要件は、満たされることができず、ＵＰモードを使用するとき、サービス２およびサービス３の高い時間遅延要件は、満たされることができない。別の実施例として、あるＵＥは、携帯用アプリケーション等で高いレートにおけるデータの伝送を要求し得る。スマートグラスは、リアルタイムでビデオの伝送を要求し得、スマートウォッチは、電話をかける能力を要求し得る。これらのサービスは、より優れたＱｏＳ保証を要求するであろう。加えて、ＵＥがさらに大量のデータを伝送するとき、ロングタームエボリューション（ＬＴＥ）システムのデータ伝送モード（以降ではＬＴＥモードと称される）は、より良好な適応性を有する。上記で概説されるデータ伝送モードのうちのいずれかのために構成されるＵＥは全て、異なるサービスのための変動するＱｏＳ要件を満たすことが困難である。結果として、データ伝送モードおよびデータサービスの適応性を改良する方法が、解決されるべき重要な問題になっている。
【００３２】
本開示の技術的ソリューションは、代替実施形態の使用を通して以下で説明される。本開示の実施形態のＵＥは、ＭＴＣシステムのＭＴＣ機器であることができ、また、ＬＴＥシステム内のＵＥであることもでき、基地局は、ＬＴＥシステムの進化型ノードＢ（ｅＮＢ）であることができる。本開示によって提供される代替実施形態は、相互と組み合わせられることができ、同じまたは類似概念もしくはプロセスは、いくつかの実施形態では繰り返され得ない。
【００３３】
図１は、本開示の実施形態によって提供される、データ伝送方法のフローチャートである。本実施形態のデータ伝送方法は、異なるサービスタイプのためのデータ伝送を実装するために好適であり、データ伝送装置から実行されることができる。
【００３４】
データ伝送装置は、ハードウェアおよびソフトウェアの組み合わせを使用して実装され、本装置は、プロセッサの使用のためにＵＥプロセッサ上に統合されることができる。図１が示すように、本実施形態の方法は、以下を含むことができる。
【００３５】
Ｓ１１０では、ＵＥは、基地局を通してアップリンクインターフェースメッセージをモビリティ管理エンティティ（ＭＭＥ）に伝送し、アップリンクインターフェースメッセージは、データ伝送モードを切り替える命令を含み、データ伝送モードは、ＣＰモード、ＵＰモード、および／またはＬＴＥモードを備える。
【００３６】
本実施形態によって提供されるデータ伝送方法に関して、ＵＥおよびネットワーク側は、複数のデータ伝送モード、すなわち、ＣＰモード、ＵＰモード、およびＬＴＥモードのために構成される。本実施形態の方法を実行する前に、ＵＥはすでに、アタッチプロシージャを使用して、データ伝送モードに関連する情報について基地局と相互作用しており、以下の情報、すなわち、ＣＰモード、ＵＰモード、またはＬＴＥモードがサポートされるかどうかが、ＵＥおよびネットワーク側ネットワーク要素上に保存される。解説目的のために、本実施形態は、ＵＥおよびネットワーク側が両方とも、前述の３つのデータ伝送モードをサポートすると仮定し、アタッチプロシージャを使用して、ＵＥはすでに、現在のサービスタイプに好適なデータ伝送モードのうちの１つを使用するようにネットワーク側と交渉しており、データ伝送のために本モードを使用する。サービスタイプが変化したこと、および現在のデータ伝送モードが新しいサービスタイプのＱｏＳ要件には好適ではないことをＵＥが検出するとき、ＵＥは、データ伝送モードを切り替える要求を能動的に開始することができる、すなわち、ＵＥは、基地局を通して、データ伝送モードを切り替える命令を搬送するアップリンクインターフェースメッセージをＭＭＥに伝送する。アップリンクインターフェースメッセージは、データ伝送モードを切り替えるようにネットワーク側を命令するために使用される。本実施形態を実装する際に、ＵＥがモード切替を開始するためのトリガ条件は、例えば、以下の通りであり、すなわち、データ伝送のためにＣＰモードを最初に使用したＵＥが、伝送を要求する大量のデータがあることを検出し、データ伝送のためにＬＴＥモードを最初に使用したＵＥが、伝送を要求するデータが比較的小さいことを検出する。本実施形態は、ＵＥがモード切替を能動的に開始するための理由を限定せず、現在のデータ伝送モードが現在のサービスタイプのＱｏＳ要件には好適ではないことをＵＥが検出する限り、ＵＥは、ＵＥおよびネットワーク側が両方ともサポートするモード内から、最も好適なデータ伝送モードを選択することができる。
【００３７】
本実施形態内で、データ伝送モードの切替は、ＣＰモードとＬＴＥモードとの間で切り替えること、ＵＰモードとＬＴＥモードとの間で切り替えること、またはＣＰモードとＵＰモードとの間で切り替えることとを含む。加えて、本実施形態のＵＥはまた、ＭＴＣ機器であることもできる。非ＭＴＣ機器に関して、ＣＰモードまたはＵＰモードはまた、少量データサービスタイプを伴う適用シナリオがあるときに、データ伝送に使用されることもでき、それによって、本実施形態によって提供されるデータ伝送方法の適用範囲を拡張する。
【００３８】
Ｓ１２０では、ＵＥは、基地局によって伝送されるダウンリンクＲＲＣメッセージを受信し、ダウンリンクＲＲＣメッセージは、データ伝送モードを切り替える命令を含む。
【００３９】
本実施形態内で、ＭＭＥが、基地局によって伝送される、データ伝送モードを切り替える命令を搬送するアップリンクインターフェースメッセージを受信した後、ＭＭＥは、データ伝送モードを切り替える命令に従ってデータ伝送モードを切り替えることができ、そうするとすぐに、ＭＭＥは、Ｓ１インターフェース上でデータ伝送モードを変更する命令を搬送するダウンリンクインターフェースメッセージを基地局に伝送することができる。本実施形態内で、Ｓ１インターフェース上で伝送されるメッセージは、Ｓ１メッセージとして定義され、ダウンリンクインターフェースメッセージは、ダウンリンクＳ１インターフェースメッセージまたは追加されたダウンリンクＳ１インターフェースメッセージであることができる。基地局は、ダウンリンクインターフェースメッセージのデータ伝送モードを切り替える命令に基づいて、データ伝送モード切替動作を実行することができる。基地局がデータ伝送モードを切り替えた後、データ伝送モードを切り替える命令を含有するダウンリンクＲＲＣメッセージを端末に伝送することができる。
【００４０】
Ｓ１３０では、ＵＥは、データ伝送モード切替命令に基づいてデータ伝送モードを切り替え、データ伝送を実装するために切替後のデータ伝送モードを使用する。
【００４１】
本実施形態内で、ＵＥが基地局によって伝送されるダウンリンクＲＲＣメッセージを受信した後、データ伝送モード切替動作を実行し、それによって、データ伝送モード切替を完了することができ、そうするとすぐに、ＵＥおよびネットワーク側は、切替後のデータ伝送モードに従ってデータ伝送を実装し、切替後のデータ伝送モードは、現在のサービスタイプに好適なデータ伝送モードである。
【００４２】
本実施形態は、それらのうちの２つまたはそれらの全てをサポートし得る、ＵＥ、基地局、およびＭＭＥのデータ伝送モードを限定しない。切り替えられるデータ伝送モードが基地局およびＭＭＥの両方によってサポートされる限り、切替が実装されることができる。モード切替を能動的に開始する前に、ＵＥがデータ伝送モードを使用するようにネットワーク側と交渉するプロセスが、上記で説明されている。Ｓ１１０の前に、本実施形態はさらに、Ｓ１００およびＳ１０１を含むことができる。
【００４３】
Ｓ１００では、ＵＥは、アタッチプロシージャを通して基地局とのデータ伝送を実装し、ＵＥは、データ伝送モードのための基地局およびＭＭＥのサポート状況を記憶する。Ｓ１０１では、ＵＥは、現在のサービスタイプに従ってデータ伝送モードを切り替えることを判定する。加えて、基地局およびＭＭＥは、データ伝送モードのためのＵＥのサポート状況を記憶することができる。したがって、ＵＥがモード切替を能動的に開始するとき、ＵＥは、モードを選択するように、現在のサービスタイプおよびネットワーク要素によってサポートされるデータ伝送モードを組み合わせ、それによって、切替精度を向上させることができる。
【００４４】
本実施形態のデータ伝送方法内で、ＵＥは、基地局を通して、データ伝送モードを切り替える命令を搬送するアップリンクインターフェースメッセージをＭＭＥに伝送し、ＵＥは、次いで、基地局によって伝送されるダウンリンクＲＲＣメッセージを受信し、ダウンリンクＲＲＣメッセージはまた、データ伝送モードを切り替える命令も含み、それによって、ＵＥは、ダウンリンクＲＲＣメッセージのデータ伝送モードを切り替える命令に従ってデータ伝送モード切替動作を実行し、データ伝送を実装するために切替後のデータ伝送モードを使用し、データ伝送モードは、ＣＰモード、ＵＰモード、および／またはＬＴＥモードを備える。本実施形態内で、ＵＥは、データ伝送モードの切替要求を能動的に開始し、したがって、変動するサービスのためのＱｏＳ要件を満たすとともに、データ伝送の知能を高めることができる。
【００４５】
代替として、図２は、本開示の実施形態によって提供される、データ伝送方法の別のフローチャートである。図１によって図示される実施形態に基づいて、本実施形態の切替後のデータ伝送モードは、ＵＰモードまたはＬＴＥモードであり、切替前のデータ伝送モードは、ＣＰモードである。故に、ＵＥが受信するダウンリンクＲＲＣメッセージはさらに、確立を示すＤＲＢ情報を備える。Ｓ１３０の後に、本実施形態はさらに、Ｓ１４０を含む。Ｓ１４０では、ＵＥは、確立を示すＤＲＢ情報に基づいて、対応するＤＲＢ情報を確立する。
【００４６】
本実施形態の実装では、全てのネットワーク要素は、切替前にＣＰモードを使用し、ＭＭＥが基地局に伝送するダウンリンクインターフェースメッセージは、確立を示すサービスベアラ情報を備える。基地局がデータ伝送モードを切り替えた後、対応するサービスベアラ情報を確立することができる。ＵＰモードまたはＬＴＥモードがエアインターフェースのＤＲＢ情報を確立する必要がある、すなわち、基地局が依然として、ベアラサービスのＤＲＢ情報を確立することができ、確立を示すＤＲＢ情報が、ＵＥに伝送されるダウンリンクＲＲＣメッセージに追加されるため、ＵＥは、したがって、対応するＤＲＢ情報を確立するであろう。
【００４７】
代替として、本実施形態の切替後のデータ伝送モードは、ＣＰモードである。対応して、ＵＥが受信するダウンリンクＲＲＣメッセージはさらに、削除を示すＤＲＢ情報を備えることができる。本実施形態は、図２に示され、上記で説明される実施形態に基づいて図示される、すなわち、Ｓ１３０の後に、本方法はさらに、Ｓ１５０を含むことができる。Ｓ１５０では、ＵＥは、削除を示すＤＲＢ情報に基づいて、対応するＤＲＢ情報を削除する。
【００４８】
本実施形態の実装では、全てのネットワーク要素は、切替前にＵＰモードまたはＬＴＥモードを使用し、ＭＭＥが基地局に伝送するダウンリンクインターフェースメッセージは、削除を示すサービスベアラ情報を備える。基地局がデータ伝送モードを切り替えた後、対応するサービスベアラ情報を削除することができる。
【００４９】
ＣＰモードがエアインターフェースＤＲＢ情報を確立する必要がない、すなわち、基地局がベアラサービスの既存のＤＲＢ情報を削除することができ、削除を示すＤＲＢ情報が、端末に伝送されるダウンリンクＲＲＣメッセージに追加されるため、ＵＥは、したがって、対応するＤＲＢ情報を削除するであろう。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【００５０】
代替として、本実施形態の切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードである。対応して、ＵＥによって受信されるダウンリンクＲＲＣメッセージはさらに、以下：確立を示すＤＲＢ情報、再構成を示すＤＲＢ情報、および削除を示すＤＲＢ情報のうちの１つ以上を備える。本実施形態は、図２によって示され、上記で説明される実施形態に基づいて図示される、すなわち、Ｓ１３０の後に、本方法はさらに、Ｓ１６０を含むことができる。Ｓ１６０では、ＵＥは、ダウンリンクＲＲＣメッセージのコンテンツに基づいて、対応するＤＲＢ情報を構成する。
【００５１】
本実施形態の実装では、切替は、ＵＰモードとＬＴＥモードとの間で実装される、すなわち、ＭＭＥによって基地局に伝送されるダウンリンクインターフェースメッセージは、確立および／または再構成ならびに／もしくは削除を示すサービスベアラ情報を備える。データ伝送モードを切り替えた後、基地局は、対応するサービスベアラ情報を確立および／または再構成ならびに／もしくは削除することができる。ＵＰモードおよびＬＴＥモードは両方とも、エアインターフェースＤＲＢ情報を確立する必要があるが、異なる状況に関して、構成されたＤＲＢ情報は、必ずしも２つのモードについて同一とは限らない。したがって、基地局は依然として、ベアラサービスのＤＲＢ情報を確立および／または再構成ならびに／もしくは削除することができ、確立および／または再構成ならびに／もしくは削除を示すＤＲＢ情報を、ＵＥに伝送されるダウンリンクＲＲＣメッセージに追加することができる。ＵＥは、したがって、対応するＤＲＢ情報を構成することができる。本実施形態の実装では、ネットワーク側は、ベアラサービスを再構成する関連プロセスを開始し得ない、すなわち、ＭＭＥおよび基地局は、サービスベアラ情報を再構成するように要求されず、基地局およびＵＥは、ベアラサービスのＤＲＢ情報を再構成するように要求されない。
【００５２】
図２のＳ１４０、Ｓ１５０、およびＳ１６０が、代替として選択され、対応するサービス構成が、上記で概説される３つのデータ伝送モード切替状況に従って実施される。
【００５３】
本実施形態内で、ＵＥは、アップリンクＲＲＣメッセージを通してデータ伝送モード切替を実装するように命令することができ、さらに、アップリンクＮＡＳメッセージを通してデータ伝送モード切替を実装するように命令することができる。代替実施形態が、以下の解説に使用される。
【００５４】
代替として、図３は、本開示の実施形態によって提供される、データ伝送のための別の方法のフローチャートである。図１によって図示され、上記で概説される実施例に基づいて、Ｓ１１０は、以下に置換されることができる。
【００５５】
ＵＥは、データ伝送モードを切り替える命令を搬送するアップリンクＲＲＣメッセージを伝送し、アップリンクＲＲＣメッセージは、アップリンクインターフェースメッセージをＭＭＥに伝送するように基地局に命令するために使用される。ＵＥがアイドル状態であるとき、アップリンクＲＲＣメッセージは、ＲＲＣ接続要求メッセージであることができ、ＵＥが接続状態であるとき、アップリンクＲＲＣメッセージは、ＲＲＣ接続再確立メッセージであることができる。本実施形態のアップリンクインターフェースメッセージは、アップリンクＳ１インターフェースメッセージまたは追加されたＳ１インターフェースメッセージであることができる。基地局によってＭＭＥに伝送されるアップリンクＳ１メッセージは、初期ＵＥメッセージであることができる。本実施形態のダウンリンクＲＲＣメッセージは、基地局が受信されたダウンリンクインターフェースメッセージに従ってデータ伝送モードを切り替えた後に、基地局からＵＥに送信される。ダウンリンクインターフェースメッセージはまた、データ伝送モードを切り替える命令も含む。ＵＥがアイドル状態であるとき、それが受信するダウンリンクＲＲＣメッセージは、ＲＲＣ接続設定メッセージであることができ、ＵＥが接続状態であるとき、ダウンリンクＲＲＣメッセージは、ＲＲＣ接続再構成メッセージであることができる。
【００５６】
代替として、図４は、本開示の実施形態によって提供される、データ伝送方法の別のフローチャートである。本実施形態内で、ＵＥは、データ伝送モードを切り替えるように命令するためにアップリンクＮＡＳメッセージを使用する。図１によって図示される実施形態に基づいて、Ｓ１１０は、以下に置換されることができる。
【００５７】
ＵＥは、データ伝送モードを切り替える命令を搬送するアップリンクＮＡＳメッセージを基地局に伝送し、アップリンクＮＡＳメッセージは、アップリンクインターフェースメッセージをＭＭＥに伝送するように基地局に命令するために使用され、ＭＭＥに警告するようにＵＥによって直接伝送されるアップリンクＮＡＳメッセージは、サービス要求メッセージであることができる。データ伝送モードを切り替えた後、ＭＭＥは、初期コンテキスト設定要求メッセージであり得る、ダウンリンクインターフェースメッセージ（すなわち、ダウンリンクＳ１インターフェースメッセージ）を基地局に伝送する。本実施形態のダウンリンクＲＲＣメッセージは、基地局が受信されたダウンリンクインターフェースメッセージに従ってデータ伝送モードを切り替えた後に、基地局からＵＥに送信される。ダウンリンクＮＡＳメッセージは、ダウンリンクインターフェースメッセージおよびダウンリンクＲＲＣメッセージにアタッチされる。ダウンリンクＮＡＳメッセージは、データ伝送モードを変更する命令を含み、基地局によってＵＥに伝送されるダウンリンクＲＲＣメッセージは、ＲＲＣ接続再構成メッセージであることができる。
【００５８】
本実施形態の実装では、データ伝送モードを変更する命令の形態は、切り替えられる標的データ伝送モードを備える、データ伝送モード切替命令、または例えば、標的データ伝送モードに切り替わるように命令するために使用されるビットマップを備える、データ伝送モード切替命令等、多様化されることができ、別の実施例として、データ伝送モード切替命令は、現在のデータ伝送モードが利用不可能であることを示すことを通して等、データ伝送モードを切り替えるための理由を備えることができる。
【００５９】
図５は、本開示の実施形態によって提供される、データ伝送方法の別のフローチャートである。本実施形態のデータ伝送方法は、異なるサービスタイプのためのデータ伝送を実装するために好適であり、データ伝送装置から実行されることができる。データ伝送装置は、ハードウェアおよびソフトウェアの組み合わせを使用して実装され、本装置は、プロセッサの使用のために基地局プロセッサ上に統合されることができる。図５が示すように、本実施形態の方法は、以下を含むことができる。
【００６０】
Ｓ２１０では、基地局は、アップリンクインターフェースメッセージをＭＭＥに伝送し、アップリンクインターフェースメッセージは、データ伝送モードを切り替える命令を含み、データ伝送モードは、ＣＰモード、ＵＰモード、および／またはＬＴＥモードを備える。
【００６１】
本開示の実施形態によって提供されるデータ伝送のための方法は、基地局および他のネットワーク要素のために構成される種々のデータ伝送モード（すなわち、ＣＰモード、ＵＰモード、およびＬＴＥモード）である。本実施形態の方法を実行する前に、ＵＥはすでに、アタッチプロシージャを使用して、データ伝送モードに関連する情報について基地局と相互作用しており、以下、すなわち、ＣＰモード、ＵＰモード、またはＬＴＥモードがサポートされるかどうかが、ネットワーク要素上に記憶される。本実施形態内で、サービスタイプが変化したこと、および現在のデータ伝送モードが新しいサービスタイプのＱｏＳ要件には好適ではないことをＵＥが検出するとき、ＵＥは、データ伝送モード切替要求を能動的に開始することができる、すなわち、基地局は、ＵＥによって伝送されるデータ伝送モードを変更する命令を搬送するアップリンクＲＲＣメッセージを受信し、それによって、データ伝送モードを変更する命令を搬送するアップリンクインターフェースメッセージをＭＭＥに伝送するように基地局に命令し、基地局およびＭＭＥは、本情報に従ってデータ伝送モードを変更することができる。
【００６２】
データ伝送モード切替の形態、ＵＥがモード切替を開始するためのトリガ条件、ＵＥタイプ、および本実施形態のネットワーク要素によってサポートされるデータ伝送モードは全て、前述の実施形態で説明されており、ここではさらに議論されないであろう。
【００６３】
Ｓ２２０では、基地局は、ＭＭＥによって伝送されるダウンリンクインターフェースメッセージを受信し、ダウンリンクインターフェースメッセージは、データ伝送モードを変更する命令を含む。
【００６４】
Ｓ２３０では、基地局は、データ伝送モードを変更する命令に従ってデータ伝送モードを切り替える。
【００６５】
本実施形態内で、基地局がアップリンクインターフェースメッセージをＭＭＥに伝送した後、ＭＭＥは、アップリンクインターフェースメッセージのデータ伝送モードを変更する命令に従って、データ伝送モードを変更することができ、ＭＭＥは、次いで、Ｓ１インターフェース上でデータ伝送モードを変更する命令を搬送するダウンリンクインターフェースメッセージを基地局に伝送することができ、ダウンリンクインターフェースメッセージを受信した後、基地局は、データ伝送モード切替動作を行うことができる。
【００６６】
Ｓ２４０では、基地局は、ダウンリンクＲＲＣメッセージをＵＥに伝送し、ダウンリンクＲＲＣメッセージは、データ伝送モードを切り替える命令を含む。
【００６７】
本実施形態内で、データ伝送モード切替動作を行った後、基地局は、データ伝送モードを切り替える命令を搬送するダウンリンクＲＲＣメッセージをＵＥに伝送し、データ伝送モードを切り替えるようにＵＥに命令し、それによって、データ伝送モード切替プロセスを完了することができる。続いて、基地局、ＵＥ、およびＭＭＥは、切替後のデータ伝送モードに従ってデータ伝送を実装し、切替後のデータ伝送モードは、現在のサービスタイプに好適なデータ伝送モードである。
【００６８】
本実施形態のデータ伝送方法内で、基地局は、データ伝送モードを切り替えるようにＭＭＥに命令するために、データ伝送モードを切り替える命令を搬送するアップリンクインターフェースメッセージをＭＭＥに伝送し、続いて、基地局は、ＭＭＥによって伝送される、データ伝送モードを変更する命令を搬送するダウンリンクインターフェースメッセージを受信し、そうするとすぐに、基地局は、データ伝送モードを切り替え、データ伝送モード切替を完了するようにＵＥに命令するために、データ伝送モードを変更する命令を搬送するダウンリンクＲＲＣメッセージをＵＥに伝送する。データ伝送モードは、ＣＰモード、ＵＰモード、およびＬＴＥモードを備える。本実施形態内で、ＵＥは、データ伝送モード切替要求を能動的に開始し、したがって、変動するサービスのためのＱｏＳ要件を満たすとともに、データ伝送の知能を高めることができる。
【００６９】
代替として、図６は、本開示の実施形態によって提供される、データ伝送方法の別のフローチャートである。図５によって図示され、上記で説明される実施形態に基づいて、本実施形態の切替後のデータ伝送モードは、ＵＰモードまたはＬＴＥモードであり、切替前のデータ伝送モードは、ＣＰモードであり、対応して、基地局によって受信されるダウンリンクインターフェースメッセージはさらに、確立を示すサービスベアラ情報を備える。Ｓ２３０の後に、本実施形態はさらに、Ｓ２３１を含む。Ｓ２３１では、基地局は、確立を示すサービスベアラ情報に従って、対応するサービスベアラ情報を確立する。代替として、Ｓ２３１の後に、本実施形態はさらに、Ｓ２３２を含む。Ｓ２３２では、基地局は、切替後のデータ伝送モードに従って、ベアラサービスのＤＲＢ情報を確立する。対応して、基地局によって伝送されるダウンリンクＲＲＣメッセージはさらに、確立を示すＤＲＢ情報を備える。
【００７０】
本実施形態の実装では、全てのネットワーク要素は、切替前にＣＰモードを使用し、ＭＭＥから基地局に伝送されるダウンリンクインターフェースメッセージは、確立を示すサービスベアラ情報を備える。基地局がデータ伝送モードを切り替えた後、対応するサービスベアラ情報を確立することができる。ＵＰモードまたはＬＴＥモードがエアインターフェースＤＲＢ情報を確立する必要がある、すなわち、基地局が依然として、ベアラサービスのＤＲＢ情報を確立することができ、確立を示すＤＲＢ情報が、ＵＥに伝送されるダウンリンクＲＲＣメッセージに追加されるため、ＵＥは、したがって、対応するＤＲＢ情報を確立するであろう。
【００７１】
代替として、本実施形態の切替後のデータ伝送モードは、ＣＰモードであり、対応して、基地局によって受信されるダウンリンクインターフェースメッセージはさらに、削除を示すサービスベアラ情報を備える。本実施形態は、図６によって図示される実施例に基づいて解説される、すなわち、Ｓ２３０の後に、Ｓ２３３をさらに含む。Ｓ２３３では、基地局は、削除を示すサービスベアラ情報に基づいて、対応するサービスベアラ情報を削除する。代替として、Ｓ２３３の後に、本実施形態はさらに、Ｓ２３４を含む。Ｓ２３４では、基地局は、切替後のデータ伝送モードに従ってベアラサービスのＤＲＢ情報を削除し、対応して、基地局によって伝送されるダウンリンクＲＲＣメッセージはさらに、削除を示すＤＲＢ情報を備える。
【００７２】
本実施形態の実装では、全てのネットワーク要素は、切替前にＵＰモードまたはＬＴＥモードを使用し、ＭＭＥが基地局に伝送するダウンリンクインターフェースメッセージは、削除を示すサービスベアラ情報を備え、基地局がデータ伝送モードを切り替えた後、対応するサービスベアラ情報を削除することができる。ＣＰモードがエアインターフェースＤＲＢ情報を確立する必要がない、すなわち、基地局がベアラサービスの既存のＤＲＢ情報を削除することができ、削除を示すＤＲＢ情報が、端末に伝送されるダウンリンクＲＲＣメッセージに追加されるため、ＵＥは、したがって、対応するＤＲＢ情報を削除するであろう。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【００７３】
代替として、本実施形態の切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードである。対応して、基地局によって受信されるダウンリンクインターフェースメッセージはさらに、以下：確立を示すサービスベアラ情報、再構成を示すサービスベアラ情報、および削除を示すサービスベアラ情報のうちの１つ以上を備える。本実施形態は、図６に示され、上記で説明される実施例に基づいて図示される、すなわち、Ｓ２３０の後に、本方法はさらに、Ｓ２３５を含む。Ｓ２３５では、基地局は、ダウンリンクインターフェースメッセージのコンテンツに従って、対応するサービスベアラ情報を構成する。代替として、Ｓ２３５の後に、本実施形態はさらに、Ｓ２３６を含むことができる。Ｓ２３６では、基地局は、切替後のデータ伝送モードに従って、ベアラサービスのＤＲＢ情報を構成し、対応して、基地局によって伝送されるダウンリンクＲＲＣメッセージはさらに、以下：確立を示すＤＲＢ情報、再構成を示すＤＲＢ情報、および削除を示すＤＲＢ情報のうちの１つ以上を備える。
【００７４】
本実施形態の実装では、切替は、ＵＰモードとＬＴＥモードとの間で実装される、すなわち、ＭＭＥによって基地局に伝送されるダウンリンクインターフェースメッセージは、確立および／または再構成ならびに／もしくは削除を示すサービスベアラ情報を備える。データ伝送モードを切り替えた後、基地局は、対応するサービスベアラ情報を確立および／または再構成ならびに／もしくは削除することができる。ＵＰモードおよびＬＴＥモードは両方とも、エアインターフェースＤＲＢ情報を確立する必要があるが、異なる状況に関して、構成されたＤＲＢ情報は、必ずしも２つのモードについて同一とは限らない。したがって、基地局は依然として、ベアラサービスのＤＲＢ情報を確立および／または再構成ならびに／もしくは削除することができ、確立および／または再構成ならびに／もしくは削除を示すＤＲＢ情報を、ＵＥに伝送されるダウンリンクＲＲＣメッセージに追加することができる。ＵＥは、したがって、対応するＤＲＢ情報を構成することができる。本実施形態の実装では、ネットワーク側は、ベアラサービスを再構成する関連プロセスを開始し得ない、すなわち、ＭＭＥおよび基地局は、サービスベアラ情報を再構成するように要求されず、基地局およびＵＥは、ベアラサービスのＤＲＢ情報を再構成するように要求されない。
【００７５】
Ｓ２３１〜Ｓ２３２、Ｓ２３３〜Ｓ２３４、およびＳ２３５〜Ｓ２３６が、代替として選定され、対応するサービス構成が、上記で概説される３つのデータ伝送モード切替状況に従って実施される。
【００７６】
本実施形態内で、ＵＥは、アップリンクＲＲＣメッセージを通してデータ伝送モード切替を実装するように命令することができ、さらに、アップリンクＮＡＳメッセージを通してデータ伝送モード切替を実装するように命令することができる。代替実施形態が、以下の解説に使用される。
【００７７】
代替として、図７は、本開示の実施形態によって提供される、データ伝送方法の別のフローチャートである。本実施形態内で、ＵＥは、アップリンクＲＲＣメッセージを使用して、データ伝送モード切替を命令し、図５によって図示され、上記で説明される実施例に基づいて、Ｓ２１０は、基地局が、基地局によって受信されるアップリンクＲＲＣメッセージに基づいて、アップリンクインターフェースメッセージをＭＭＥに伝送することに置換されることができる。
【００７８】
アップリンクＲＲＣメッセージは、データ伝送モードを変更する命令を含み、データ伝送モード切替命令は、現在のサービスタイプに基づいてＵＥがデータ伝送モードを切り替えることを判定した後に、アップリンクＲＲＣメッセージに追加される。対応して、本実施形態のダウンリンクインターフェースメッセージは、ＭＭＥがデータ伝送モード切替命令に従ってデータ伝送モードを変更した後に、基地局に伝送される。本実施形態内で、アップリンクＲＲＣメッセージ、アップリンクインターフェースメッセージ、およびダウンリンクＲＲＣメッセージのタイプは、前述の実施形態と同一であり、ここではさらに議論されないであろう。
【００７９】
代替として、図８は、本開示の実施形態によって提供される、データ伝送方法の別のフローチャートである。本実施形態内で、ＵＥは、アップリンクＮＡＳメッセージを使用して、データ伝送モード切替の実装を命令し、図５に示され、上記で説明される実施例に基づいて、Ｓ２１０は、基地局が、受信されたアップリンクＮＡＳメッセージに基づいて、アップリンクインターフェースメッセージをＭＭＥに伝送することに置換されることができ、アップリンクＮＡＳメッセージは、データ伝送モードを切り替える命令を備え、データ伝送モードを変更する命令は、現在のサービスタイプに基づいてＵＥがデータ伝送モードを切り替えることを判定した後に、アップリンクＮＡＳメッセージに追加される。対応して、本実施形態のダウンリンクインターフェースメッセージは、ＭＭＥがデータ伝送モード切替命令に従ってデータ伝送モードを変更した後に、基地局に伝送され、ダウンリンクＮＡＳメッセージは、ダウンリンクアクセスメッセージおよびダウンリンクＲＲＣメッセージにアタッチされ、ダウンリンクＮＡＳメッセージは、データ伝送モードを変更する命令を含む。本実施形態内で、アップリンクＮＡＳメッセージ、ダウンリンクアクセスメッセージ、およびダウンリンクＲＲＣメッセージのタイプは、前述の実施形態におけるものと同一であり、したがって、ここではさらに議論されないであろう。
【００８０】
本実施形態の実装では、データ伝送モード切替命令の形態はまた、切り替えられる標的データ伝送モードを備える、データ伝送モード切替命令、または例えば、標的データ伝送モードに切り替わるように命令するために使用されるビットマップを備える、データ伝送モード切替命令等、多様化されることもでき、別の実施例として、データ伝送モード切替命令は、現在のデータ伝送モードが利用不可能であることを示すことを通して等、データ伝送モードを切り替えるための理由を備えることができる。
【００８１】
図９は、本開示の実施形態によって提供される、データ伝送方法の別のフローチャートである。本実施形態のデータ伝送方法は、異なるサービスタイプのためのデータ伝送を実装するために好適であり、データ伝送装置から実行されることができる。データ伝送装置は、ハードウェアおよびソフトウェアの組み合わせを使用して実装され、本装置は、プロセッサの使用のためにＭＭＥプロセッサ上に統合されることができる。図８に示されるように、本実施形態の方法は、以下を含むことができる。
【００８２】
Ｓ３１０では、ＭＭＥは、基地局によって伝送されるアップリンクインターフェースメッセージを受信し、アップリンクインターフェースメッセージは、データ伝送モードを切り替える命令を含み、データ伝送モードは、ＣＰモード、ＵＰモード、および／またはＬＴＥモードを備える。
【００８３】
本開示の実施形態によって提供されるデータ伝送のための方法は、ＭＭＥおよび他のネットワーク要素のために構成される種々のデータ伝送モード（すなわち、ＣＰモード、ＵＰモード、およびＬＴＥモード）である。本実施形態によって提供される方法を行う前に、ＵＥはすでに、アタッチプロシージャを使用して、データ伝送モードに関連する情報について基地局と相互作用しており、ネットワーク要素は、ＣＰモード、ＵＰモード、またはＬＴＥモードがサポートされるかどうかを記憶している。本実施形態内で、サービスタイプが変化したこと、および現在のデータ伝送モードが新しいサービスタイプのＱｏＳ要件には好適ではないことをＵＥが検出するとき、ＵＥは、データ伝送モード切替要求を能動的に開始することができる、すなわち、ＭＭＥは、基地局によって伝送されるデータ伝送モード切替命令を搬送するアップリンクインターフェースメッセージを受信することができ、ＭＭＥおよび基地局は、本情報に基づいてデータ伝送モードを切り替えることができる。
【００８４】
データ伝送モード切替の形態、ＵＥがモード切替を開始するためのトリガ条件、ＵＥタイプ、および本実施形態のネットワーク要素によってサポートされるデータ伝送モードは全て、前述の実施形態で説明されており、ここではさらに議論されないであろう。
【００８５】
Ｓ３２０では、ＭＭＥは、データ伝送モード切替命令に従ってデータ伝送モードを切り替える。
【００８６】
Ｓ３３０では、ＭＭＥは、ダウンリンクインターフェースメッセージを基地局に伝送し、ダウンリンクインターフェースメッセージは、データ伝送モードを切り替える命令を備える。
【００８７】
本実施形態内で、基地局を通してＵＥによって伝送される、データ伝送モードを変更する命令を搬送するアップリンクインターフェースメッセージを受信した後、ＭＭＥは、データ伝送モード切替命令に基づいてデータ伝送モードを切り替え、モード切替動作を行うように基地局に命令するために、Ｓ１インターフェース上でデータ伝送モードを切り替える命令を搬送するダウンリンクインターフェースメッセージを基地局に伝送することができる。基地局は、次いで、続けてモード切替動作を行うようにＵＥに命令し、それによって、データ伝送モード切替プロセスを完了することができる、すなわち、ＭＭＥと基地局およびＵＥとネットワーク側との間で、データ伝送が、切替後のデータ伝送モードに従って実装され、切替後のデータ伝送モードは、現在のサービスタイプに好適なデータ伝送モードである。
【００８８】
本実施形態のデータ伝送方法内で、ＭＭＥは、基地局によって伝送される、データ伝送モードを変更する命令を搬送する、受信されたアップリンクインターフェースメッセージに基づいて、データ伝送モードを切り替える。続いて、ＭＭＥは、データ伝送モード切替命令を搬送するダウンリンクインターフェースメッセージを基地局に伝送し、ダウンリンクインターフェースメッセージ命令を介して、基地局は、データ伝送モードを切り替え、それによって、ＵＥ開始型データ伝送モード切替命令を完了し、データ伝送モードは、ＣＰモード、ＵＰモード、およびＬＴＥモードを備える。本実施形態内で、ＵＥは、切替がＵＥとネットワーク側との間のデータ伝送のための異なるデータ伝送モードの間で実装されることができるように、データ伝送モード切替要求を能動的に開始し、それによって、異なるサービスのためのＱｏＳ要件を満たし、データ伝送知能を向上させる。
【００８９】
代替として、本実施形態の切替後のデータ伝送モードは、ＵＰモードまたはＬＴＥモードであり、切替前のデータ伝送モードは、ＣＰモードであり、対応して、本実施形態のＳ３３０のＭＭＥによって伝送されるダウンリンクインターフェースメッセージはさらに、確立を示すサービスベアラ情報を備える。
【００９０】
本実施形態の実装では、全てのネットワーク要素は、切替前にＣＰモードを使用し、ＭＭＥによって基地局に伝送されるダウンリンクインターフェースメッセージは、確立を示すサービスベアラ情報を備える。基地局がデータ伝送モードを切り替えた後、対応するサービスベアラ情報を確立することができる。ＵＰモードまたはＬＴＥモードがエアインターフェースＤＲＢ情報を確立する必要がある、すなわち、基地局が依然として、ベアラサービスのＤＲＢ情報を確立することができ、確立を示すＤＲＢ情報が、ＵＥに伝送されるダウンリンクＲＲＣメッセージに追加されるため、ＵＥは、したがって、対応するＤＲＢ情報を確立するであろう。
【００９１】
代替として、本実施形態の切替後のデータ伝送モードは、ＣＰモードであり、対応して、本実施形態のＳ３３０のＭＭＥによって伝送されるダウンリンクインターフェースメッセージはさらに、削除を示すサービスベアラ情報を備える。
【００９２】
本実施形態の実装では、全てのネットワーク要素は、切替前にＵＰモードまたはＬＴＥモードを使用し、ＭＭＥが基地局に伝送するダウンリンクインターフェースメッセージは、削除を示すサービスベアラ情報を備え、基地局がデータ伝送モードを切り替えた後、対応するサービスベアラ情報を削除することができる。ＣＰモードがエアインターフェースＤＲＢ情報を確立する必要がない、すなわち、基地局がベアラサービスの既存のＤＲＢ情報を削除することができ、削除を示すＤＲＢ情報が、端末に伝送されるダウンリンクＲＲＣメッセージに追加されるため、ＵＥは、したがって、対応するＤＲＢ情報を削除するであろう。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【００９３】
代替として、本実施形態の切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードであり、対応して、本実施形態のＳ３３０においてＭＭＥによって伝送されるダウンリンクインターフェースメッセージはさらに、以下：確立を示すサービスベアラ情報、再構成を示すサービスベアラ情報、および削除を示すサービスベアラ情報のうちの１つ以上を備える。
【００９４】
本実施形態の実装では、切替は、ＵＰモードとＬＴＥモードとの間で実装される、すなわち、ＭＭＥによって基地局に伝送されるダウンリンクインターフェースメッセージは、確立および／または再構成ならびに／もしくは削除を示すサービスベアラ情報を備える。データ伝送モードを切り替えた後、基地局は、対応するサービスベアラ情報を確立および／または再構成ならびに／もしくは削除することができる。ＵＰモードおよびＬＴＥモードは両方とも、エアインターフェースＤＲＢ情報を確立する必要があるが、異なる状況に関して、構成されたＤＲＢ情報は、必ずしも２つのモードについて同一とは限らない。したがって、基地局は依然として、ベアラサービスのＤＲＢ情報を確立および／または再構成ならびに／もしくは削除することができ、確立および／または再構成ならびに／もしくは削除を示すＤＲＢ情報を、ＵＥに伝送されるダウンリンクＲＲＣメッセージに追加することができる。ＵＥは、したがって、対応するＤＲＢ情報を構成することができる。本実施形態の実装では、ネットワーク側は、ベアラサービスを再構成する関連プロセスを開始し得ない、すなわち、ＭＭＥおよび基地局は、サービスベアラ情報を再構成するように要求されず、基地局およびＵＥは、ベアラサービスのＤＲＢ情報を再構成するように要求されない。
【００９５】
本実施形態内で、ＭＭＥは、ＵＥによって伝送されるアップリンクＲＲＣメッセージからモード切替命令を受信することができ、また、ＵＥによって伝送されるアップリンクＮＡＳメッセージからモード切替命令を受信することもできる。以下は、解説の手段として代替実施形態を利用する。
【００９６】
代替として、本実施形態のＭＭＥは、ＵＥによって伝送されるアップリンクＲＲＣメッセージからモード切替命令を受信し、本実施形態のアップリンクインターフェースメッセージは、基地局がアップリンクＲＲＣメッセージを受信した後にＭＭＥに伝送され、アップリンクＲＲＣメッセージは、データ伝送モードを変更する命令を含み、データ伝送モード切替命令は、現在のサービスタイプに基づいてＵＥがデータ伝送モードを切り替えることを判定した後に、アップリンクＲＲＣメッセージに追加される。本実施形態内で、アップリンクＲＲＣメッセージ、アップリンクインターフェースメッセージ、ダウンリンクインターフェースメッセージ、およびダウンリンクＲＲＣメッセージのタイプは、前述の実施形態のものと同一であり、ここではさらに議論されないであろう。
【００９７】
代替として、本実施形態のＭＭＥは、ＵＥによって伝送されるアップリンクＮＡＳメッセージを通してモード切替命令を受信し、本実施形態のアップリンクインターフェースメッセージは、基地局がアップリンクＮＡＳメッセージを受信した後にＭＭＥに伝送され、アップリンクＮＡＳメッセージは、データ伝送モードを切り替える命令を含み、データ伝送モードを変更する命令は、現在のサービスタイプに基づいてＵＥがデータ伝送モードを切り替えることを判定した後に、ＮＡＳメッセージに追加され、ダウンリンクインターフェースメッセージは、データ伝送モードを切り替える命令を搬送するダウンリンクＲＲＣメッセージを端末に伝送するように基地局に命令するために使用され、ダウンリンクＮＡＳメッセージは、ダウンリンクインターフェースメッセージおよびダウンリンクＲＲＣメッセージにアタッチされ、ダウンリンクＮＡＳメッセージは、データ伝送モードを変更する命令を含む。本実施形態内で、アップリンクＮＡＳメッセージおよびアップリンクインターフェースメッセージのタイプは、前述の実施形態のものと同一であり、ここではさらに議論されないであろう。
【００９８】
本実施形態の実装では、データ伝送モード切替命令の形態はまた、切り替えられる標的データ伝送モードを備える、データ伝送モード切替命令、または例えば、標的データ伝送モードに切り替わるように命令するために使用されるビットマップを備える、データ伝送モード切替命令等、多様化されることもでき、別の実施例として、データ伝送モード切替命令は、現在のデータ伝送モードが利用不可能であることを示すことを通して等、データ伝送モードを切り替えるための理由を備えることができる。
【００９９】
図１０は、本開示の実施形態によって提供される、データ伝送方法のシグナリング相互作用フローチャートである。
【０１００】
本実施形態のデータ伝送方法は、異なるサービスタイプシナリオのためのデータ伝送の実装に好適であり、本方法は、ＵＥ、基地局、およびＭＭＥによって実行されることができる。本実施形態は、例証的実施例として、アップリンクＲＲＣメッセージを介してデータ伝送モード切替を命令するＵＥを使用する。図１０に示されるように、本実施形態の方法は、以下を含むことができる。
【０１０１】
Ｓ４１０では、ＵＥは、データ伝送モードを切り替える命令を搬送するアップリンクＲＲＣメッセージを伝送し、データ伝送モードは、ＣＰモード、ＵＰモード、および／またはＬＴＥモードを備える。
【０１０２】
Ｓ４１１では、基地局は、データ伝送モードを変更する命令を搬送するアップリンクインターフェースメッセージをＭＭＥに伝送し、本実施形態のアップリンクインターフェースメッセージは、アップリンクＳ１インターフェースメッセージまたは追加されたＳ１インターフェースメッセージであることができる。
【０１０３】
Ｓ４１２では、ＭＭＥは、データ伝送モード切替命令に従ってデータ伝送モードを切り替える。
【０１０４】
Ｓ４２０では、ＭＭＥは、データ伝送モード切替命令を搬送するダウンリンクインターフェースメッセージを基地局に伝送し、本実施形態のダウンリンクインターフェースメッセージは、ダウンリンクＳ１インターフェースまたは追加されたダウンリンクＳ１インターフェースメッセージであることができる。
【０１０５】
Ｓ４２１では、基地局は、データ伝送モードを変更する命令に従ってデータ伝送モードを切り替える。
【０１０６】
Ｓ４３０では、基地局は、データ伝送モードを切り替える命令を搬送するダウンリンクＲＲＣメッセージをＵＥに伝送する。
【０１０７】
Ｓ４３１では、ＵＥは、データ伝送モード切替命令に従ってデータ伝送モードを切り替える。
【０１０８】
Ｓ４４０では、ＵＥは、データ伝送を実装するために切替後のデータ伝送モードを使用する。
【０１０９】
Ｓ４１０に先行して、本実施形態はさらに、Ｓ４０１およびＳ４０２を含むことができる。
【０１１０】
Ｓ４０１では、ＵＥは、アタッチプロシージャを通して基地局とのデータ伝送を実装し、ＵＥは、データ伝送モードのための基地局およびＭＭＥのサポート状況を記憶する。
【０１１１】
Ｓ４０２では、ＵＥは、現在のサービスタイプに従ってデータ伝送モードを切り替えることを判定する。ＵＥがデータ伝送モードを切り替えるための本実施形態のトリガ条件は、前述の実施形態のものと同一であり、ここではさらに議論されないであろう。
【０１１２】
本実施形態の適用シナリオでは、切替後のデータ伝送モードは、ＵＰモードまたはＬＴＥモードであり、切替前のデータ伝送モードは、ＣＰモードであり、本実施形態のＳ４２０においてＭＭＥによって伝送されるダウンリンクインターフェースメッセージはさらに、確立を示すサービスベアラ情報を備える。対応して、Ｓ４２１の後に、本実施形態はさらに、以下を含む。
【０１１３】
Ｓ４２２では、基地局は、確立を示すサービスベアラ情報に従って、対応するサービスベアラ情報を確立する。
【０１１４】
代替として、本実施形態はさらに、以下を含み、すなわち、Ｓ４２３では、基地局は、切替後のデータ伝送モードに従ってベアラサービスのＤＲＢ情報を確立する。対応して、Ｓ４３０では、基地局からＵＥに伝送されるダウンリンクＲＲＣメッセージは、確立を示すＤＲＢ情報を備える。Ｓ４３１の後に、本実施形態はさらに、以下を含む。
【０１１５】
Ｓ４３２では、ＵＥは、確立を示すＤＲＢ情報に基づいて、対応するＤＲＢ情報を確立する。
【０１１６】
本実施形態の別の適用シナリオでは、切替後のデータ伝送モードは、ＣＰモードであり、本実施形態のＳ４２０においてＭＭＥによって伝送されるダウンリンクインターフェースメッセージはさらに、削除を示すサービスベアラ情報を備え、対応して、Ｓ４２１の後に、本実施形態はさらに、以下を含む。
【０１１７】
Ｓ４２４では、基地局は、削除を示すサービスベアラ情報に基づいて、対応するサービスベアラ情報を削除する。
【０１１８】
代替として、本実施形態はさらに、以下を含み、すなわち、Ｓ４２５では、基地局は、切替後のデータ伝送モードに従ってベアラサービスのＤＲＢ情報を削除する。対応して、Ｓ４３０において基地局からＵＥに伝送されるダウンリンクＲＲＣメッセージはさらに、削除を示すＤＲＢ情報を備える。Ｓ４３１の後に、本実施形態はさらに、以下を含む。
【０１１９】
Ｓ４３３では、ＵＥは、削除を示すＤＲＢ情報に基づいて、対応するＤＲＢ情報を削除する。
【０１２０】
本実施形態の別の適用シナリオでは、切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードであり、本実施形態のＳ４２０においてＭＭＥによって伝送されるダウンリンクインターフェースメッセージはさらに、以下：確立を示すサービスベアラ情報、再構成を示すサービスベアラ情報、および削除を示すサービスベアラ情報のうちの１つ以上を備える。対応して、Ｓ４２１の後に、本実施形態はさらに、以下を含む。
【０１２１】
Ｓ４２６では、基地局は、ダウンリンクインターフェースメッセージのコンテンツに基づいて、対応するサービスベアラ情報を構成する。
【０１２２】
代替として、本実施形態はさらに、以下を含み、すなわち、Ｓ４２７では、基地局は、切替後のデータ伝送モードに従ってベアラサービスのＤＲＢ情報を構成する。対応して、Ｓ４３０では、基地局からＵＥに伝送されるダウンリンクＲＲＣメッセージはさらに、以下：確立を示すＤＲＢ情報、再構成を示すＤＲＢ情報、および削除を示すＤＲＢ情報のうちの１つ以上を備える。Ｓ４３１の後に、本実施形態はさらに、以下を含む。
【０１２３】
Ｓ４３４では、ＵＥは、ダウンリンクＲＲＣメッセージのコンテンツに基づいて、対応するＤＲＢ情報を構成する。
【０１２４】
本実施形態内で、アップリンクＲＲＣメッセージ、アップリンクインターフェースメッセージ、ダウンリンクインターフェースメッセージ、およびダウンリンクＲＲＣメッセージのタイプは、前述の実施形態のものと同一であり、ここではさらに議論されないであろう。
【０１２５】
図１１は、本開示の実施形態によって提供される、データ伝送方法の別のシグナリング相互作用フローチャートである。本実施形態のデータ伝送方法は、異なるサービスタイプシナリオのためのデータ伝送を実装するために好適であり、本方法は、ＵＥ、基地局、およびＭＭＥによって実行されることができる。本実施形態は、例証的実施例として、アップリンクＮＡＳメッセージを通してデータ伝送モード切替を命令するＵＥを使用する。図１１が示すように、本実施形態の方法は、以下を含むことができる。
【０１２６】
Ｓ５１０では、ＵＥは、データ伝送モードを切り替える命令を搬送するアップリンクＮＡＳメッセージを伝送し、データ伝送モードは、ＣＰモード、ＵＰモード、および／またはＬＴＥモードを備える。
【０１２７】
Ｓ５１１では、基地局は、データ伝送モードを変更する命令を搬送するアップリンクインターフェースメッセージをＭＭＥに伝送し、本実施形態のアップリンクインターフェースメッセージは、アップリンクＳ１インターフェースメッセージまたは追加されたＳ１インターフェースメッセージであることができる。
【０１２８】
Ｓ５１２では、ＭＭＥは、データ伝送モード切替命令に従ってデータ伝送モードを切り替える。
【０１２９】
Ｓ５２０では、ＭＭＥは、データ伝送モード切替命令を搬送するダウンリンクインターフェースメッセージを基地局に伝送し、本実施形態のダウンリンクインターフェースメッセージは、ダウンリンクＳ１インターフェースまたは追加されたダウンリンクＳ１インターフェースメッセージであることができる。
【０１３０】
Ｓ５２１では、基地局は、データ伝送モードを変更する命令に従ってデータ伝送モードを切り替える。
【０１３１】
Ｓ５３０では、基地局は、データ伝送モードを切り替える命令を搬送するダウンリンクＲＲＣメッセージをＵＥに伝送する。
【０１３２】
Ｓ５３１では、ＵＥは、データ伝送モード切替命令に基づいてデータ伝送モードを切り替える。
【０１３３】
Ｓ５４０では、ＵＥは、データ伝送を実装するために切替後のデータ伝送モードを使用する。
【０１３４】
本実施形態内で、ダウンリンクＮＡＳメッセージは、Ｓ５２０のダウンリンクインターフェースメッセージおよびＳ５３０のダウンリンクＲＲＣメッセージにアタッチされることができ、ダウンリンクＮＡＳメッセージはまた、データ伝送モードを変更する命令も含み、ダウンリンクＮＡＳメッセージは、基地局を通してＭＭＥからＵＥに伝送される。
【０１３５】
Ｓ５１０の前に、本実施形態のデータ伝送方法はさらに、以下を含む。
【０１３６】
Ｓ５０１では、ＵＥは、アタッチプロシージャを通して基地局とのデータ伝送を実装し、ＵＥは、データ伝送モードのための基地局およびＭＭＥのサポート状況を記憶する。
【０１３７】
Ｓ５０２では、ＵＥは、現在のサービスタイプに従ってデータ伝送モードを切り替えることを判定する。ＵＥがデータ伝送モードを切り替えるための本実施形態のトリガ条件は、前述の実施形態のものと同一であり、ここではさらに議論されないであろう。
【０１３８】
本実施形態の適用シナリオでは、切替後のデータ伝送モードは、ＵＰモードまたはＬＴＥモードであり、切替前のデータ伝送モードは、ＣＰモードであり、本実施形態のＳ５２０においてＭＭＥによって伝送されるダウンリンクインターフェースメッセージはさらに、確立を示すサービスベアラ情報を備え、対応して、Ｓ５２１の後に、本実施形態はさらに、以下を含む。
【０１３９】
Ｓ５２２では、基地局は、確立を示すサービスベアラ情報に従って、対応するサービスベアラ情報を確立する。
【０１４０】
代替として、本実施形態はさらに、以下を含み、すなわち、Ｓ５２３では、基地局は、切替後のデータ伝送モードに従ってベアラサービスのＤＲＢ情報を確立する。対応して、Ｓ５３０において基地局からＵＥに伝送されるダウンリンクＲＲＣメッセージは、確立を示すＤＲＢ情報を備え、Ｓ５３１の後に、本実施形態はさらに、以下を含む。
【０１４１】
Ｓ５３２では、ＵＥは、確立を示すＤＲＢ情報に基づいて、対応するＤＲＢ情報を確立する。
【０１４２】
本実施形態の別の適用シナリオでは、切替後のデータ伝送モードは、ＣＰモードであり、本実施形態のＳ５２０においてＭＭＥによって伝送されるダウンリンクインターフェースメッセージはさらに、削除を示すサービスベアラ情報を備え、対応して、Ｓ５２１の後に、本実施形態はさらに、以下を含む。
【０１４３】
Ｓ５２４では、基地局は、削除を示すサービスベアラ情報に基づいて、対応するサービスベアラ情報を削除する。
【０１４４】
代替として、本実施形態はさらに、以下を含み、すなわち、Ｓ５２５では、基地局は、切替後のデータ伝送モードに従ってベアラサービスのＤＲＢ情報を削除する。対応して、Ｓ５３０では、基地局からＵＥに伝送されるダウンリンクＲＲＣメッセージはさらに、削除を示すＤＲＢ情報を備える。Ｓ５２１の後に、本実施形態はさらに、以下を含む。
【０１４５】
Ｓ５３３では、ＵＥは、削除を示すＤＲＢ情報に基づいて、対応するＤＲＢ情報を削除する。
【０１４６】
本実施形態の別の適用シナリオでは、切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードであり、本実施形態のＳ５２０においてＭＭＥによって伝送されるダウンリンクインターフェースメッセージはさらに、以下：確立を示すサービスベアラ情報、再構成を示すサービスベアラ情報、および削除を示すサービスベアラ情報のうちの１つ以上を備え、対応して、Ｓ５２１の後に、本実施形態はさらに、以下を含む。
【０１４７】
Ｓ５２６では、基地局は、ダウンリンクインターフェースメッセージのコンテンツに基づいて、対応するサービスベアラ情報を構成する。
【０１４８】
代替として、本実施形態はさらに、以下を含み、すなわち、Ｓ５２７では、基地局は、切替後のデータ伝送モードに従ってベアラサービスのＤＲＢ情報を構成する。対応して、Ｓ５３０では、基地局からＵＥに伝送されるダウンリンクＲＲＣメッセージはさらに、以下：確立を示すＤＲＢ情報、再構成を示すＤＲＢ情報、および削除を示すＤＲＢ情報のうちの１つ以上を備える。Ｓ５２１の後に、本実施形態はさらに、以下を含む。
【０１４９】
Ｓ５３４では、ＵＥは、ダウンリンクＲＲＣメッセージのコンテンツに基づいて、対応するＤＲＢ情報を構成する。
【０１５０】
本実施形態のアップリンクＮＡＳメッセージ、アップリンクインターフェースメッセージ、ダウンリンクインターフェースメッセージ、ダウンリンクＲＲＣメッセージ、およびダウンリンクＮＡＳメッセージのタイプは、前述の実施形態のものと同一であり、ここではさらに議論されないであろう。
【０１５１】
図１０および図１１によって図示され、上記で説明される実施形態では、データ伝送モード切替命令の形態はまた、切り替えられる標的データ伝送モードを備える、データ伝送モード切替命令、または例えば、標的データ伝送モードに切り替わるように命令するために使用されるビットマップを備える、データ伝送モード切替命令等、多様化されることもでき、別の実施例として、データ伝送モード切替命令は、現在のデータ伝送モードが利用不可能であることを示すことを通して等、データ伝送モードを切り替えるための理由を備えることができる。
【０１５２】
本実施形態内で、ＵＥは、データ伝送モードを切り替えるようにＵＥに命令するために、アップリンクＲＲＣメッセージで基地局に通知し、データ伝送モードを切り替えるようにＵＥに命令するための方法は、ＵＥがデータ伝送モードを切り替えるために、命令セルをアップリンクＲＲＣメッセージに追加することであることができ、アップリンクＲＲＣメッセージはまた、以下のタイプのメッセージのうちのいずれか、すなわち、ＲＲＣ接続要求メッセージ、ＲＲＣ接続設定完了メッセージ、ＲＲＣ接続再確立要求、ＲＲＣ接続再確立完了メッセージ、アップリンク情報転送メッセージ、ＵＥ情報応答メッセージ、および追加されたアップリンクエアインターフェースメッセージ等であることもできる。
【０１５３】
ＵＥは、データ伝送モードを切り替えるようにＵＥに命令するために、ＭＭＥに通知するようにアップリンクＮＡＳメッセージを使用し、データ伝送モードを切り替えるようにＵＥに命令するための方法は、ＵＥがデータ伝送モードを切り替えるために、命令セルをアップリンクＮＡＳメッセージに追加すること、または所望の切替が行われるデータ伝送モードセルを追加することであることができ、アップリンクＮＡＳメッセージは、以下のメッセージタイプのうちのいずれか、すなわち、初期コンテキスト設定応答メッセージ、初期コンテキスト設定失敗メッセージ、ＵＥコンテキスト解放要求メッセージ、ＵＥコンテキスト修正失敗メッセージ、初期ＵＥメッセージ、アップリンクＮＡＳ転送メッセージ、ＮＡＳ非配信インジケーションメッセージ、および他の追加されたアップリンクＮＡＳメッセージ等であることができる。
【０１５４】
ＭＭＥは、データ伝送モードを切り替えるようにＵＥに命令するために、基地局に通知するようにダウンリンクインターフェースメッセージを使用し、データ伝送モードを切り替えるようにＵＥに命令するための方法は、ＵＥがデータ伝送モードを切り替えるために、命令セルをダウンリンクインターフェースメッセージに追加すること、または解放理由を追加することであることができ、ダウンリンクインターフェースメッセージは、以下のメッセージタイプのうちのいずれか、すなわち、初期コンテキスト設定要求メッセージ、ＵＥコンテキスト解放コマンドメッセージ、ＵＥコンテキスト解放完了メッセージ、ＵＥコンテキスト修正要求メッセージ、ダウンリンクＮＡＳ転送メッセージ、ページングメッセージ、Ｅ−ＲＡＢ設定要求メッセージ、Ｅ−ＲＡＢ修正要求メッセージ、Ｅ−ＲＡＢ解放コマンドメッセージ、ＵＰモード追加回収情報、一時停止されたメッセージ、および他の追加されたダウンリンクインターフェースメッセージ等であることができる。
【０１５５】
基地局は、データ伝送モードを切り替えるようにＵＥに命令するために、ＵＥに通知するようにダウンリンクＲＲＣメッセージを使用し、データ伝送モードを切り替えるようにＵＥに命令するための方法は、ＵＥがデータ伝送モードを切り替えるために、命令セルをダウンリンクＲＲＣメッセージに追加することであることができ、ダウンリンクＲＲＣメッセージは、以下のメッセージタイプのうちのいずれか、すなわち、ＲＲＣ接続設定メッセージ、ＲＲＣ接続再構成メッセージ、ＲＲＣ接続再確立メッセージ、ＲＲＣ接続再確立拒否メッセージ、ＲＲＣ接続拒否メッセージ、ＲＲＣ接続解放メッセージ、ダウンリンク情報転送メッセージ、ページングメッセージ、ＵＥ情報要求メッセージ、および追加されたダウンリンクエアインターフェースメッセージ等であることができる。
【０１５６】
図１２は、本開示の実施形態によって提供される、データ伝送装置の概略図である。本実施形態によって提供されるデータ伝送装置は、異なるサービスタイプシナリオのためのデータ伝送を実装するために好適であり、データ伝送装置は、ハードウェアおよびソフトウェアの組み合わせを使用して実装され、プロセッサの使用のためにＵＥプロセッサ上に統合されることができる。図１２に示されるように、本実施形態のデータ伝送装置は、伝送モジュール１１と、受信機モジュール１２と、モード切替モジュール１３とを備える。
【０１５７】
伝送モジュール１１は、基地局を通してアップリンクインターフェースメッセージをＭＭＥに伝送することができるように構成され、アップリンクインターフェースメッセージは、データ伝送モードを切り替える命令を含み、データ伝送モードは、制御プレーン（ＣＰ）モード、ユーザプレーン（ＵＰ）モード、および／またはロングタームエボリューション（ＬＴＥ）モードを備える。
【０１５８】
本開示の実施形態のデータ伝送装置は、ＵＥおよびネットワーク側のために構成される複数のデータ伝送モード（すなわち、ＣＰモード、ＵＰモード、およびＬＴＥモード）であり、本実施形態によって提供されるデータ伝送装置に関して、伝送モジュール１１がアップリンクインターフェースメッセージを伝送する前に、ＵＥはすでに、アタッチプロシージャを使用して、データ伝送モードに関連する情報について基地局と相互作用しており、ＵＥおよびネットワーク側ネットワーク要素は、ＣＰモード、ＵＰモード、またはＬＴＥモードがサポートされるかどうかを記憶している。本実施形態内で、サービスタイプが変化したこと、および現在のデータ伝送モードが新しいサービスタイプのＱｏＳ要件には好適ではないことをＵＥが検出するとき、ＵＥは、データ伝送モードを切り替える要求を能動的に開始することができる、すなわち、ＵＥは、基地局を通して、データ伝送モードを切り替える命令を搬送するアップリンクインターフェースメッセージをＭＭＥに伝送し、アップリンクインターフェースメッセージは、データ伝送モードを切り替えるようにネットワーク側に命令するために使用される。
【０１５９】
データ伝送モード切替の形態、ＵＥがモード切替を開始するためのトリガ条件、ＵＥタイプ、および本実施形態のネットワーク要素によってサポートされるデータ伝送モードは全て、前述の実施形態で説明されており、ここではさらに議論されないであろう。
【０１６０】
伝送モジュール１１に接続される、受信機モジュール１２は、基地局によって伝送されるダウンリンク無線リソース制御（ＲＲＣ）メッセージを受信することができるように構成され、ダウンリンクＲＲＣメッセージはまた、データ伝送モードを変更する命令も含む。
【０１６１】
本実施形態内で、データ伝送モードを変更する命令を搬送するアップリンクインターフェースメッセージを受信した後、ＭＭＥは、データ伝送モードを変更する命令に基づいてデータ伝送モード切替を実装することができ、ＭＭＥは、次いで、Ｓ１インターフェース上でデータ伝送モードを変更する命令を搬送するダウンリンクインターフェースメッセージを基地局に伝送することができ、基地局は、ダウンリンクインターフェースメッセージのデータ伝送モードを変更する命令に基づいて、データ伝送モード切替動作を行うことができ、データ伝送モードを切り替えた後、基地局は、データ伝送モードを変更する命令を備えるダウンリンクＲＲＣメッセージをＵＥに伝送することができる。
【０１６２】
受信機モジュール１２に接続される、モード切替モジュール１３は、受信機モジュール１２によって受信される、データ伝送モードを変更する命令に従って、データ伝送モードを切り替えることができるように構成される。
【０１６３】
伝送モジュール１１および受信機モジュール１２はさらに、モード切替モジュール１３がデータ伝送のために切り替わったデータ伝送モードを使用することができるように構成される。
【０１６４】
本実施形態内で、基地局によって伝送されるダウンリンクＲＲＣメッセージを受信した後、受信機モジュール１２は、データ伝送モード切替動作を行うようにモード切替モジュール１３に命令し、それによって、データ伝送モード切替を完了することができる。続いて、ＵＥは、伝送モジュール１１および受信機モジュール１２を通して、切替後のデータ伝送モードに従って、ネットワーク側とのデータ伝送を実装し、切替後のデータ伝送モードは、現在のサービスタイプに好適なデータ伝送モードである。
【０１６５】
本実施形態は、それらのうちの２つまたはそれらの全てをサポートすることができる、ＵＥ、基地局、およびＭＭＥによってサポートされるデータ伝送モードを限定しない。基地局およびＭＭＥが両方ともデータ伝送モードをサポートする限り、そのモードへの切替が実装されることができる。本実施形態内で、伝送モジュール１１および受信機モジュール１２はさらに、伝送モジュール１１が基地局を通してアップリンクインターフェースメッセージをＭＭＥに伝送する前に、基地局とのデータ伝送を実施するためにアタッチプロシージャを使用することができるように構成される。ＵＥは、基地局およびＭＭＥのためのデータ伝送モードサポート状況を記憶し、対応して、本実施形態によって提供されるデータ伝送装置はさらに、現在のサービスタイプに基づいてデータ伝送モードを切り替えることを判定することができるように構成される、伝送モジュール１１と接続されるモード判定モジュール１４を備える。
【０１６６】
本実施形態のデータ伝送装置は、図１に図示される実施形態によって提供される、データ伝送方法を実行するように構成され、対応する機能モジュールを有する。実装の原理および技術的結果は、類似し、ここではさらに議論されないであろう。
【０１６７】
代替として、本実施形態の切替後のデータ伝送モードは、ＵＰモードまたはＬＴＥモードであり、切替前のデータ伝送モードは、ＣＰモードであり、対応して、受信機モジュール１２によって受信されるダウンリンクＲＲＣメッセージはさらに、本実施形態によって提供される別のデータ伝送装置の概略図である、図１３に示されるように、確立を示すＤＲＢ情報を備える。図１２に図示される装置の構造に基づいて、本実施形態のデータ伝送装置はさらに、それぞれ、受信機モジュール１２およびモード切替モジュール１３に接続され、モード切替モジュール１３が受信機モジュール１２によって受信されるデータ伝送モード切替命令に基づいてデータ伝送モードを切り替えた後に、受信機モジュール１２によって受信される確立を示すＤＲＢ情報に基づいて、対応するＤＲＢ情報を確立することができるように構成される、サービスベアラモジュール１５を備える。
【０１６８】
代替として、本実施形態の切替後のデータ伝送モードは、ＣＰモードであり、対応して、受信機モジュール１２によって受信されるダウンリンクＲＲＣメッセージはさらに、削除を示すＤＲＢ情報を備えることができる。実施形態は、図１３に示され、上記で説明される装置によって実行されることができる。
【０１６９】
受信機モジュール１２によって受信されるダウンリンクＲＲＣメッセージはさらに、削除を示すＤＲＢ情報を備えることができる。本実施形態は、図１３によって図示され、上記で説明される装置によって実行されることができる。サービスベアラモジュール１５はさらに、モード切替モジュール１３が受信機モジュール１２によって受信されるデータ伝送モードを変更する命令に基づいてデータ伝送モードを切り替えた後に、受信機モジュール１２によって受信される削除を示すＤＲＢ情報に従って、対応するＤＲＢ情報を削除することができるように構成されることができる。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【０１７０】
代替として、本実施形態の切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードであり、対応して、受信機モジュール１２によって受信されるダウンリンクＲＲＣメッセージはさらに、以下：確立を示すＤＲＢ情報、再構成を示すＤＲＢ情報、および削除を示すＤＲＢ情報のうちの１つ以上を備える。本実施形態もまた、図１３に図示され、上記で説明される装置によって実行されることができる。サービスベアラモジュール１５はさらに、モード切替モジュールが受信機モジュール１２によって受信されるデータ伝送モードを変更する命令に従ってデータ伝送モードを切り替えた後に、受信機モジュール１２によって受信されるダウンリンクＲＲＣメッセージのコンテンツに従って、対応するＤＲＢ情報を構成するように設定される。本実施形態の実装では、ネットワーク側は、ベアラサービスを再構成する関連プロセスを開始し得ない、すなわち、ＭＭＥおよび基地局は、サービスベアラ情報を再構成する必要がなく、基地局およびＵＥは、ベアラサービスのＤＲＢ情報を再構成する必要がない。
【０１７１】
本実施形態によって提供されるデータ伝送装置は、図２によって図示される実施形態によって提供される、データ伝送方法を実行するために使用され、対応する機能モジュールを有する。実装の原理および技術的結果は、類似し、ここではさらに議論されないであろう。
【０１７２】
本実施形態内で、ＵＥは、アップリンクＲＲＣメッセージを通してデータ伝送モード切替を実装するように命令することができ、さらに、アップリンクＮＡＳメッセージを通してデータ伝送モード切替を実装するように命令することができる。代替実施形態が、以下の解説に使用される。
【０１７３】
代替として、本実施形態内で、ＵＥは、アップリンクＲＲＣメッセージを使用してデータ伝送モード切替を命令し、本実施形態は、図１２または図１３によって図示される装置を使用して実装されることができる。実装では、伝送モジュール１１は、基地局を通してアップリンクインターフェースメッセージをＭＭＥに伝送することができるように構成され、データ伝送モードを変更する命令を搬送するアップリンクＲＲＣメッセージを基地局に伝送することができるための構成を含む。アップリンクＲＲＣメッセージは、アップリンクインターフェースメッセージをＭＭＥに伝送するように基地局を命令するために使用され、対応して、受信機モジュール１２によって受信されるダウンリンクＲＲＣメッセージは、受信されたダウンリンクインターフェースメッセージに基づいて、基地局がデータ伝送モードを切り替えた後にＵＥに伝送され、ダウンリンクインターフェースメッセージは、データ伝送モードを切り替える命令を含む。本実施形態内で、アップリンクＲＲＣメッセージ、アップリンクインターフェースメッセージ、およびダウンリンクＲＲＣメッセージのタイプは、前述の実施形態のものと同一であり、ここではさらに議論されないであろう。
【０１７４】
本実施形態によって提供されるデータ伝送装置は、本開示の図３によって図示される実施形態によって提供される、データ伝送方法を実行するために使用され、対応する機能モジュールを有する。実装の原理および技術的結果は、類似し、ここではさらに議論されないであろう。
【０１７５】
代替として、本実施形態内で、ＵＥは、アップリンクＮＡＳメッセージを使用してデータ伝送モード切替の実装を命令し、本実施形態はまた、図１２または図１３によって図示される装置によって実行される。実装では、伝送モジュール１１は、基地局を通してアップリンクインターフェースメッセージをＭＭＥに伝送することができるように構成され、これは、データ伝送モードを変更する命令を搬送するアップリンク非アクセス層（ＮＡＳ）メッセージを基地局に伝送するための構成を含む。アップリンクＮＡＳメッセージは、アップリンクインターフェースメッセージをＭＭＥに伝送するように基地局を命令するために使用され、対応して、受信機モジュール１２によって受信されるダウンリンクＲＲＣメッセージは、受信されたダウンリンクインターフェースメッセージに基づいて、基地局がデータ伝送モードを切り替えた後にＵＥに伝送され、ダウンリンクＮＡＳメッセージは、ダウンリンクインターフェースメッセージおよびダウンリンクＲＲＣメッセージにアタッチされ、ダウンリンクＮＡＳメッセージはまた、データ伝送モードを変更する命令も含む。本実施形態内で、アップリンクＮＡＳメッセージ、ダウンリンクインターフェースメッセージ、およびダウンリンクＲＲＣメッセージのタイプは、前述の実施形態のものと同一であり、ここではさらに議論されないであろう。
【０１７６】
本実施形態のデータ伝送装置は、本開示の図４に図示される実施形態によって提供される、データ伝送方法を実行するために使用され、対応する機能モジュールを有する。実装の原理および技術的結果は、類似し、ここではさらに議論されないであろう。
【０１７７】
本開示の実施形態のデータ伝送装置に関して、データ伝送モードを変更する命令の形態は、切り替えられる標的データ伝送モードを備える、データ伝送モード切替命令、または例えば、標的データ伝送モードに切り替わるように命令するために使用されるビットマップを備える、データ伝送モード切替命令等、多様化されることができ、別の実施例として、データ伝送モード切替命令は、現在のデータ伝送モードが利用不可能であることを示すことを通して等、データ伝送モードを切り替えるための理由を備えることができる。
【０１７８】
実装のプロセスでは、図１２および図１３によって図示される実施形態の伝送モジュール１１および受信機モジュール１２は、ＵＥの送受信機によって実装されることができ、モード切替モジュール１３、モード判定モジュール１４、およびサービスベアラモジュール１５は、ＵＥのプロセッサによって実装されることができ、プロセッサは、例えば、中央処理装置（ＣＰＵ）、または特定用途向け集積回路（ＡＳＩＣ）、もしくは本開示の実施形態を実施するために使用される１つ以上の集積回路であり得る。
【０１７９】
図１４は、本開示の実施形態によって提供される、データ伝送装置の別の概略図である。本実施形態によって提供されるデータ伝送装置は、異なるサービスタイプシナリオのためのデータ伝送を実装するために好適であり、ハードウェアおよびソフトウェアの組み合わせを使用して実装される。本装置は、プロセッサの使用のために基地局プロセッサ上に統合されることができる。図１４が示すように、本実施形態のデータ伝送装置は、伝送モジュール２１と、受信機モジュール２２と、モード切替モジュール２３とを備える。
【０１８０】
伝送モジュール１２は、アップリンクインターフェースメッセージをＭＭＥに伝送することができるように構成され、アップリンクインターフェースメッセージは、データ伝送モードを切り替える命令を含み、データ伝送モードは、ＣＰモード、ＵＰモード、および／またはＬＴＥモードを備える。
【０１８１】
本開示の実施形態によって提供されるデータ伝送装置は、基地局および他のネットワーク要素のために構成される複数のデータ伝送モード（すなわち、ＣＰモード、ＵＰモード、およびＬＴＥモード）であり、本実施形態によって提供されるデータ伝送装置に関して、伝送モジュール１２がアップリンクインターフェースメッセージを伝送する前に、ＵＥはすでに、アタッチプロシージャを使用して、データ伝送モードに関連する情報について基地局と相互作用している。本実施形態内で、サービスタイプが変化したこと、および現在のデータ伝送モードが新しいサービスタイプのＱｏＳ要件には好適ではないことをＵＥが検出するとき、ＵＥは、データ伝送モード切替要求を能動的に開始することができる、すなわち、基地局は、ＵＥによって伝送される、データ伝送モードを変更する命令を搬送するアップリンクＲＲＣメッセージを受信し、それによって、データ伝送モードを変更する命令を搬送するアップリンクインターフェースメッセージをＭＭＥに伝送するように基地局に命令し、基地局およびＭＭＥは、本情報に従ってデータ伝送モードを変更することができる。
【０１８２】
データ伝送モード切替の形態、ＵＥがモード切替を開始するためのトリガ条件、ＵＥタイプ、および本実施形態のネットワーク要素によってサポートされるデータ伝送モードは全て、前述の実施形態で説明されており、ここではさらに議論されないであろう。
【０１８３】
伝送モジュール２１に接続される受信機モジュール２２は、ＭＭＥによって伝送されるダウンリンクインターフェースメッセージを受信するように構成され、ダウンリンクインターフェースメッセージはまた、データ伝送モードを切り替える命令も含む。
【０１８４】
受信機モジュール２２に接続されるモード切替２３は、受信機モジュール２１によって受信される、データ伝送モードを切り替える命令に従って、データ伝送モードを切り替えることができるように構成される。
【０１８５】
本実施形態内で、伝送モジュール２１がアップリンクインターフェースメッセージをＭＭＥに伝送した後、ＭＭＥは、アップリンクインターフェースメッセージのデータ伝送モードを変更する命令に基づいてデータ伝送モードを切り替えることができ、ＭＭＥは、次いで、Ｓ１インターフェース上でデータ伝送モードを変更する命令を搬送するダウンリンクインターフェースメッセージを基地局に伝送することができ、受信機モジュール２２がダウンリンクインターフェースメッセージを受信した後、データ伝送モード切替動作を実装することができる。
【０１８６】
伝送モジュール２１はさらに、ダウンリンクＲＲＣメッセージをＵＥに伝送することができるように構成され、ダウンリンクＲＲＣメッセージはまた、データ伝送モードを切り替える命令も含む。
【０１８７】
本実施形態内で、モード切替モジュール２３がデータ伝送モード切替動作を実行した後、伝送モジュール２１は、データ伝送モードを切り替える命令を搬送するダウンリンクＲＲＣメッセージをＵＥに伝送し、それによって、データ伝送モード切替を完了することができ、そうするとすぐに、基地局、ＵＥ、およびＭＭＥは、切替後のデータ伝送モードに従ってデータ伝送を実装し、切替後のデータ伝送モードは、現在のサービスタイプに好適なデータ伝送モードである。
【０１８８】
本実施形態のデータ伝送装置は、本開示の図５に図示される実施形態によって提供される、データ伝送方法を実行するために使用され、対応する機能モジュールを有する。実装の原理および技術的結果は、類似し、ここではさらに議論されないであろう。
【０１８９】
代替として、本実施形態の切替後のデータ伝送モードは、ＵＰモードまたはＬＴＥモードであり、切替前のデータ伝送モードは、ＣＰモードであり、対応して、受信モジュール２２によって受信されるダウンリンクインターフェースメッセージはさらに、確立を示すサービスベアラ情報を備える。図１４によって図示される装置に基づく、本実施形態の別のデータ伝送装置の概略図である、図１５に示されるように、本実施形態のデータ伝送装置はさらに、それぞれ、受信機モジュールおよびモード切替モジュール２３に接続され、モード切替モジュール２３が受信機モジュール２２によって受信されるデータ伝送モード切替命令に基づいてデータ伝送モードを切り替えた後に、受信機モジュール２２によって受信される確立を示すサービスベアラ情報に基づいて、対応するサービスベアラ情報を確立するように構成される、サービスベアラモジュール２４を備える。
【０１９０】
代替として、本実施形態のサービスベアラモジュール２４はさらに、モード切替モジュール２３が受信機モジュール２２によって受信されるデータ伝送モードを変更する命令に基づいてデータ伝送モードを切り替えた後に、モード切替モジュール２３が切り替わったデータ伝送モードに従って、データ無線ベアラ（ＤＲＢ）メッセージを確立することができるように構成され、対応して、伝送モジュール２１によって伝送されるダウンリンクＲＲＣメッセージはさらに、確立を示すＤＲＢ情報を備える。
【０１９１】
代替として、本実施形態の切替後のデータ伝送モードは、ＣＰモードであり、対応して、受信機モジュール２２によって受信されるダウンリンクインターフェースメッセージはさらに、削除を示すサービスベアラ情報を備える。本実施形態は、図１５によって図示される装置を伴って実装されることができ、サービスベアラモジュール２４はさらに、モード切替モジュール２３が受信機モジュール２２によって受信されるデータ伝送モードを変更する命令に従ってデータ伝送モードを切り替えた後に、受信機モジュール２２によって受信される削除を示すサービスベアラ情報に従って、対応するサービスベアラ情報を削除することができるように構成される。
【０１９２】
代替として、本実施形態のサービスベアラモジュール２４はさらに、モード切替モジュール２３が受信機モジュール２２によって受信されるデータ伝送モードを変更する命令に基づいてデータ伝送モードを切り替えた後に、モード切替モジュール２３が切り替わったデータ伝送モードに従って、ベアラサービスのＤＲＢ情報を削除することができるように構成される。
【０１９３】
対応して、伝送モジュール２１によって伝送されるダウンリンクＲＲＣメッセージは、削除を示すＤＲＢ情報を備える。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【０１９４】
代替として、本実施形態の切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードであり、対応して、受信機モジュール２２によって受信されるダウンリンクインターフェースメッセージはさらに、以下：確立を示すサービスベアラ情報、再構成を示すサービスベアラ情報、および削除を示すサービスベアラ情報のうちの１つ以上を備える。本実施形態はまた、図１５に図示される装置を使用して実行されることもできる。サービスベアラモジュール２４はさらに、モード切替モジュール２３が受信機モジュール２２によって受信されるデータ伝送モード切替命令に基づいてデータ伝送モードを切り替えた後に、受信機モジュール２２によって受信されるダウンリンクインターフェースメッセージのコンテンツに基づいて、対応するサービスベアラ情報を構成することができるように構成される。
【０１９５】
代替として、本実施形態のサービスベアラモジュール２４はさらに、モード切替モジュールが受信機モジュール２２によって受信されるデータ伝送モードを変更する命令に基づいてデータ伝送モードを切り替えた後に、モード切替モジュールが切り替わったデータ伝送モードに基づいて、ベアラサービスのＤＲＢ情報を構成するように設定される。
【０１９６】
対応して、伝送モジュール２１によって伝送されるダウンリンクＲＲＣメッセージはさらに、以下：確立を示すＤＲＢ情報、再構成を示すＤＲＢ情報、および削除を示すＤＲＢ情報のうちの１つ以上を備える。本実施形態の実装では、ネットワーク側は、ベアラサービスを再構成する関連プロセスを開始し得ない、すなわち、ＭＭＥおよび基地局は、サービスベアラ情報を再構成する必要がなく、基地局およびＵＥは、ベアラサービスのＤＲＢ情報を再構成する必要がない。
【０１９７】
本実施形態のデータ伝送装置は、本開示の図６に図示される実施形態によって提供される、データ伝送方法を実行するために使用され、対応する機能モジュールを有する。実装の原理および技術的結果は、類似し、ここではさらに議論されないであろう。
【０１９８】
本実施形態内で、ＵＥは、アップリンクＲＲＣメッセージを通してデータ伝送モード切替を実装するように命令することができ、さらに、アップリンクＮＡＳメッセージを通してデータ伝送モード切替を実装するように命令することができる。代替実施形態が、以下の解説に使用される。
【０１９９】
代替として、本実施形態内で、ＵＥは、アップリンクＲＲＣメッセージを使用してデータ伝送モード切替を命令し、本実施形態は、図１４または図１５によって図示される装置を使用して実装されることができる。実装のプロセスでは、伝送モジュール２１は、アップリンクインターフェースメッセージをＭＭＥに伝送することができるように構成され、これは、受信機モジュールによって受信されるアップリンクＲＲＣメッセージに従って、アップリンクインターフェースメッセージをＭＭＥに伝送することができるための構成を含む。アップリンクＲＲＣメッセージは、データ伝送モードを変更する命令を含み、データ伝送モード切替命令は、現在のサービスタイプに従ってＵＥがデータ伝送モードを切り替えることを判定した後に、アップリンクＲＲＣメッセージに追加され、対応して、受信機モジュール２２によって受信されるダウンリンクインターフェースメッセージは、データ伝送モード切替命令に従って、ＭＭＥがデータ伝送モードを切り替えた後に、基地局に伝送される。本実施形態内で、アップリンクＲＲＣメッセージ、アップリンクインターフェースメッセージ、およびダウンリンクＲＲＣメッセージのタイプは、前述の実施形態のものと同一であり、ここではさらに議論されないであろう。
【０２００】
本実施形態のデータ伝送装置は、本開示の図７によって図示される実施形態によって提供される、データ伝送方法を実行するために使用され、対応する機能モジュールを有する。実装の原理および技術的結果は、類似し、ここではさらに議論されないであろう。
【０２０１】
代替として、本実施形態内で、ＵＥは、アップリンクＮＡＳメッセージを使用してデータ伝送モード切替の実装を命令し、本実施形態はまた、図１４または図１５によって図示される装置を使用して実装されることもできる。実装のプロセスでは、伝送モジュール２１は、アップリンクインターフェースメッセージをＭＭＥに伝送することができるように構成され、これは、受信機モジュール２２によって受信されるアップリンクＮＡＳメッセージに基づいて、アップリンクインターフェースメッセージをＭＭＥに伝送することができるための構成を含む。アップリンクＮＡＳメッセージは、データ伝送モードを切り替える命令を備え、データ伝送モードを変更する命令は、現在のサービスタイプに従ってＵＥがデータ伝送モードを切り替えることを判定した後に、ＮＡＳメッセージに追加され、対応して、受信機モジュール２２によって受信されるダウンリンクインターフェースメッセージは、データ伝送モード切替命令に従って、ＭＭＥがデータ伝送モードを切り替えた後に、基地局に伝送され、ダウンリンクＮＡＳメッセージは、ダウンリンクアクセスメッセージおよびダウンリンクＲＲＣメッセージにアタッチされ、ダウンリンクＮＡＳメッセージはまた、データ伝送モードを変更する命令も含む。本実施形態内で、アップリンクＮＡＳメッセージ、ダウンリンクアクセスメッセージ、およびダウンリンクＲＲＣメッセージのタイプは、前述の実施形態のものと同一であり、ここではさらに議論されないであろう。
【０２０２】
本実施形態のデータ伝送装置は、本開示の図８に図示される実施形態によって提供される、データ伝送方法を実行するために使用され、対応する機能モジュールを有する。実装の原理および技術的結果は、類似し、ここではさらに議論されないであろう。
【０２０３】
本開示の実施形態のデータ伝送装置に関して、データ伝送モード切替命令の形態は、切り替えられる標的データ伝送モードを備える、データ伝送モード切替命令、または例えば、標的データ伝送モードに切り替わるように命令するために使用されるビットマップを備える、データ伝送モード切替命令等、多様化されることができ、別の実施例として、データ伝送モード切替命令は、現在のデータ伝送モードが利用不可能であることを示すことを通して等、データ伝送モードを切り替えるための理由を備えることができる。
【０２０４】
実装のプロセスでは、本開示の図１４および図１５によって図示される実施形態の伝送モジュール２１および受信機モジュール２２は、基地局の送受信機を伴って実装されることができ、モード切替モジュール２３およびサービスベアラモジュール２４は、基地局のプロセッサを伴って実装されることができ、プロセッサはまた、例えば、ＣＰＵまたはＡＳＩＣ、もしくは本開示の実施形態を実施し得る１つ以上の集積回路であることもできる。
【０２０５】
図１６は、本開示の実施形態によって提供される、データ伝送装置の別の概略図である。本実施形態によって提供されるデータ伝送装置は、異なるサービスタイプシナリオのためのデータ伝送を実装するために好適であり、データ伝送装置は、ハードウェアおよびソフトウェアの組み合わせを使用して実装され、プロセッサの使用のためにＭＭＥプロセッサ上に統合されることができる。図１６が示すように、本実施形態のデータ伝送装置は、受信機モジュール３１と、モード切替モジュール３２と、伝送モジュール３３とを備えることができる。
【０２０６】
受信機モジュール３１は、基地局によって伝送されるアップリンクインターフェースメッセージを受信することができるように構成され、アップリンクインターフェースメッセージは、データ伝送モードを切り替える命令を含み、データ伝送モードは、制御プレーン（ＣＰ）モード、ユーザプレーン（ＵＰ）モード、および／またはロングタームエボリューション（ＬＴＥ）モードを備える。
【０２０７】
本実施形態によって提供されるデータ伝送装置は、ＭＭＥおよび他のネットワーク要素のために構成される種々のデータ伝送モード（すなわち、ＣＰモード、ＵＰモード、およびＬＴＥモード）である。本実施形態によって提供されるデータ伝送装置に関して、受信機モジュール３１がアップリンクインターフェースメッセージを受信する前に、ＵＥはすでに、アタッチプロシージャを使用して、データ伝送モードに関連する情報について基地局と相互作用している。本実施形態内で、サービスタイプが変化したこと、および現在のデータ伝送モードが新しいサービスタイプのＱｏＳ要件には好適ではないことをＵＥが検出するとき、ＵＥは、データ伝送モード切替要求を能動的に開始することができる、すなわち、受信機モジュール３１は、基地局によって送信される、データ伝送モードを変更する命令を搬送するアップリンクインターフェースメッセージを受信することができ、ＭＭＥおよび基地局は、本情報に基づいてデータ伝送モードを切り替えることができる。
【０２０８】
データ伝送モード切替の形態、ＵＥがモード切替を開始するためのトリガ条件、ＵＥタイプ、および本実施形態のネットワーク要素によってサポートされるデータ伝送モードは全て、前述の実施形態で説明されており、ここではさらに議論されないであろう。
【０２０９】
受信機モジュール３１に接続される、モード切替モジュール３２は、受信機モジュール３１によって受信される、データ伝送モード切替命令に従って、データ伝送モードを切り替えることができるように構成される。
【０２１０】
それぞれ、受信機モジュール３１およびモード切替モジュール３２に接続される、伝送モジュール３３は、ダウンリンクインターフェースメッセージを基地局に伝送することができるように構成され、ダウンリンクインターフェースメッセージは、データ伝送モードを切り替える命令を含む。
【０２１１】
本実施形態内で、基地局を通してＵＥによって伝送される、データ伝送モード切替命令を搬送するアップリンクインターフェースメッセージを受信した後、受信機モジュール３１は、データ伝送モード切替命令に従ってデータ伝送モードを切り替えるようにモード切替モジュール３２に命令することができ、伝送モジュール３３は、モード切替動作を実行できることを基地局に示すために、Ｓ１インターフェース上でデータ伝送モードを変更する命令を搬送するダウンリンクインターフェースメッセージを基地局に伝送し、基地局は、次いで、続けてモード切替動作を行うようにＵＥに命令し、それによって、データ伝送モード切替プロセスを完了することができる、すなわち、ＭＭＥと基地局およびＵＥとネットワーク側との間で、データ伝送が、切替後のデータ伝送モードに従って実装され、切替後のデータ伝送モードは、現在のサービスタイプに好適なデータ伝送モードである。
【０２１２】
本実施形態のデータ伝送装置は、本開示の図９に図示される実施形態によって提供される、データ伝送方法を実行するために使用され、対応する機能モジュールを有する。実装の原理および技術的結果は、類似し、ここではさらに議論されないであろう。
【０２１３】
代替として、本実施形態の切替後のデータ伝送モードは、ＵＰモードまたはＬＴＥモードであり、切替前のデータ伝送モードは、ＣＰモードであり、対応して、本実施形態によって提供されるデータ伝送装置内で、伝送モジュール３３によって伝送されるダウンリンクインターフェースメッセージはさらに、確立を示すサービスベアラ情報を備えることができる。
【０２１４】
代替として、本実施形態の切替後のデータ伝送モードは、ＣＰモードであり、対応して、本実施形態によって提供されるデータ伝送装置内で、伝送モジュール３３によって伝送されるダウンリンクインターフェースメッセージはさらに、削除を示すサービスベアラ情報を備えることができる。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【０２１５】
代替として、本実施形態の切替後のデータ伝送モードは、ＵＰモードであり、切替前のデータ伝送モードは、ＬＴＥモードであり、または切替後のデータ伝送モードは、ＬＴＥモードであり、切替前のデータ伝送モードは、ＵＰモードであり、対応して、本実施形態によって提供されるデータ伝送装置内で、伝送モジュール３３によって伝送されるダウンリンクインターフェースメッセージはさらに、以下：確立を示すサービスベアラ情報、再構成を示すサービスベアラ情報、および削除を示すサービスベアラ情報のうちの１つ以上を備えることができる。本実施形態の実装では、ネットワーク側は、ベアラサービスを削除する関連プロセスを開始し得ない、すなわち、ＭＭＥおよび基地局は、サービスベアラ情報を削除する必要がなく、基地局およびＵＥは、ベアラサービスのＤＲＢ情報を削除する必要がない。
【０２１６】
本実施形態に関して、受信機モジュール３１は、ＵＥによって伝送されるアップリンクＲＲＣメッセージからモード切替命令を受信することができ、また、ＵＥによって伝送されるアップリンクＮＡＳメッセージからモード切替命令を受信することもできる。以下は、解説の手段として代替実施形態を利用する。
【０２１７】
代替として、本実施形態の受信機モジュール３１は、ＵＥによって伝送されるアップリンクＲＲＣメッセージからモード切替命令を受信する。本実施形態は、図１６に図示される装置によって実行されることができる。実装のプロセスでは、受信機モジュール３１によって受信されるアップリンクインターフェースメッセージは、基地局がアップリンクＲＲＣメッセージを受信した後にＭＭＥに伝送され、アップリンクＲＲＣメッセージは、データ伝送モードを変更する命令を含み、データ伝送モード切替命令は、現在のサービスタイプに基づいてＵＥがデータ伝送モードを切り替えることを判定した後に、アップリンクＲＲＣメッセージに追加される。本実施形態内で、アップリンクＲＲＣメッセージ、アップリンクインターフェースメッセージ、ダウンリンクインターフェースメッセージ、およびダウンリンクＲＲＣメッセージのタイプは、前述の実施形態のものと同一であり、ここではさらに議論されないであろう。
【０２１８】
代替として、本実施形態の受信機モジュール３１は、ＵＥによって伝送されるアップリンクＮＡＳメッセージからモード切替命令を受信し、本実施形態はまた、上記で説明される図１６によって図示される装置によって実行されることもできる。実装のプロセスでは、受信機モジュール３１によって受信されるアップリンクインターフェースメッセージは、基地局がアップリンクＮＡＳメッセージを受信した後にＭＭＥに伝送され、アップリンクＮＡＳメッセージは、データ伝送モードを切り替える命令を含み、データ伝送モードを変更する命令は、現在のサービスタイプに基づいてＵＥがデータ伝送モードを切り替えることを判定した後に、ＮＡＳメッセージに追加され、伝送モジュール３３によって伝送されるダウンリンクインターフェースメッセージは、データ伝送モードを切り替える命令を搬送するダウンリンクＲＲＣメッセージをＵＥに伝送するように基地局に命令するために使用され、ダウンリンクＮＡＳメッセージは、ダウンリンクインターフェースメッセージおよびダウンリンクＲＲＣメッセージにアタッチされ、ダウンリンクＮＡＳメッセージは、データ伝送モードを変更する命令を含む。本実施形態内で、アップリンクＮＡＳメッセージおよびアップリンクインターフェースメッセージのタイプは、前述の実施形態のものと同一であり、ここではさらに議論されないであろう。
【０２１９】
本実施形態のデータ伝送装置に関して、データ伝送モードを変更する命令の形態は、切り替えられる標的データ伝送モードを備える、データ伝送モード切替命令、または例えば、標的データ伝送モードに切り替わるように命令するために使用されるビットマップを備える、データ伝送モード切替命令等、多様化されることができ、別の実施例として、データ伝送モード切替命令は、現在のデータ伝送モードが利用不可能であることを示すことを通して等、データ伝送モードを切り替えるための理由を備えることができる。
【０２２０】
実装のプロセスでは、本開示の図１６によって図示される実施形態の伝送モジュール３３および受信機モジュール３１は、ＭＭＥ送受信機を伴って実装されることができ、モード切替モジュール３２およびサービスベアラモジュール３４は、ＭＭＥプロセッサを伴って実装されることができ、プロセッサはまた、例えば、ＣＰＵ、ＡＳＩＣ、もしくは本開示の実施形態を実施し得る１つ以上の集積回路であることもできる。
【０２２１】
図１７は、本開示の実施形態によって提供される、データ伝送システムの概略図である。本実施形態のデータ伝送システムは、異なるサービスタイプシナリオのためのデータ伝送を実装するために好適であり、データ伝送システムは、ＵＥ４１と、基地局４２と、ＭＭＥ４３とを備え、本実施形態のＵＥ４１は、図１２および図１３によって図示される実施形態のデータ伝送装置を有するように設定され、本実施形態の基地局４２は、図１４および図１５によって図示される実施形態のデータ伝送装置を有するように設定され、ＭＭＥ４３は、図１６によって図示される実施形態のデータ伝送装置を有するように設定される。本実施形態のデータ伝送システム内で、ネットワーク要素のデータ伝送の様式は、図１２から図１６によって図示される実施形態における対応するネットワーク要素と同一であり、同様に、図１から図１１の実施形態によって提供されるデータ伝送方法のうちのいずれかを実行し、対応する物理的装置を有する。実装の原理および技術的結果は、類似し、ここではさらに議論されないであろう。
【０２２２】
本開示の実施形態はさらに、コンピュータ実行可能命令を記憶する、非一過性のコンピュータ可読記憶媒体を提供し、コンピュータ実行可能命令は、本開示のユーザ機器側のデータ伝送方法のうちのいずれかを実行するように設定される。
【０２２３】
本開示の実施形態はさらに、コンピュータ実行可能命令を記憶する、非一過性のコンピュータ可読記憶媒体を提供し、コンピュータ実行可能命令は、本開示の基地局側のデータ伝送方法のうちのいずれかを実行するように設定される。
【０２２４】
本開示の実施形態はさらに、コンピュータ実行可能命令を記憶する、非一過性のコンピュータ可読記憶媒体を提供し、コンピュータ実行可能命令は、本開示のモバイル管理エンティティ側のデータ伝送方法のうちのいずれかを実行するように設定される。
【０２２５】
本開示の実施形態はさらに、ユーザ機器の概略図を提供する。図１８を参照すると、ユーザ機器は、以下を備える。
【０２２６】
少なくとも１つのプロセッサ１８１０。図１８は、実施例として、１つのプロセッサ１８１０、ならびにメモリ１８２０を使用し、また、通信インターフェース１８３０と、バス１８４０とを備えることもでき、プロセッサ１８１０、メモリ１８２０、および通信インターフェース１８３０は、バス１８４０を通して相互と通信することができ、通信インターフェース１８３０は、情報伝送に使用されることができ、プロセッサ１８１０は、本実施形態のユーザ機器側のデータ伝送方法を実行するために、メモリ１８２０上の論理命令を使用することができる。
【０２２７】
これ以外にも、メモリ１８２０上の論理命令は、ソフトウェア機能ユニットとして実装されることができ、独立した製品として販売されるとき、コンピュータ可読記憶媒体上に記憶されることができる。
【０２２８】
コンピュータ可読記憶媒体として、メモリ１８２０は、ソフトウェアプログラム、コンピュータ実行可能プログラム、および本開示の実施形態において実行されるユーザ機器側のデータ伝送方法に対応するプログラム／モジュール（例えば、図１２によって図示される伝送モジュール１１、受信機モジュール１２、およびモード切替モジュール１３）等のモジュールを記憶するために使用されることができる。
【０２２９】
プロセッサ１８１０は、メモリ１８２０の中に記憶されたソフトウェアプログラム、命令、およびモジュールを起動し、それによって、機能アプリケーションおよびデータ処理を実施する、すなわち、本実施形態のユーザ機器側のデータ伝送方法を実装する。
【０２３０】
メモリ１８２０は、プログラム記憶エリアと、データ記憶エリアとを備えることができ、プログラム記憶エリアは、オペレーティングシステムおよび機能によって要求される少なくとも１つのアプリケーションプログラムを記憶することができ、データ伝送エリアは、端末使用等に従って作成されるデータを記憶することができる。これ以外にも、メモリ１８２０は、高速ランダムアクセスメモリを備えることができ、また、不揮発性メモリを備えることもできる。
【０２３１】
本開示の実施形態の技術的ソリューションは、１つのコンピュータデバイス（例えば、パーソナルコンピュータ、サーバ、またはネットワークデバイス等）に本開示の実施形態の方法のステップの全てもしくは一部を実行させるために使用される、１つ以上の命令のセットを備える、記憶媒体の中に記憶されたコンピュータソフトウェア製品の形態をとることができる。コンピュータ記憶媒体は、ＵＳＢフラッシュディスク、ハードディスク、読取専用メモリ（ＲＯＭ）、ランダムアクセスメモリ（ＲＡＭ）、磁気ディスク、または光ディスク等のプログラムコードを記憶し得る種々の記憶媒体を備える、不揮発性記憶媒体であることができ、これはまた、一過性記憶媒体であることもできる。
【０２３２】
本開示の実施形態はさらに、基地局の概略図を提供する。図１９を参照すると、基地局は、以下を備える。
【０２３３】
少なくとも１つのプロセッサ１９１０。図１９は、実施例として、１つのプロセッサ１９１０、ならびにメモリ１９２０を使用し、また、通信インターフェース１９３０と、バス１９４０とを備えることもでき、プロセッサ１９１０、メモリ１９２０、および通信インターフェース１９３０は、バス１９４０を通して相互と通信することができ、通信インターフェース１９３０は、情報伝送に使用されることができ、プロセッサ１９１０は、本実施形態の基地局側のデータ伝送方法を実行するために、メモリ１９２０上の論理命令を使用することができる。
【０２３４】
これ以外にも、メモリ１９２０の論理命令は、ソフトウェア機能ユニットとして実装されることができ、独立した製品として販売されるとき、コンピュータ可読記憶媒体上に記憶されることができる。
【０２３５】
コンピュータ可読記憶媒体として、メモリ１９２０は、ソフトウェアプログラム、コンピュータ実行可能プログラム、および本開示の実施形態の基地局側のデータ伝送方法に対応するプログラム／モジュール（例えば、図１４によって図示される伝送モジュール２１、受信機モジュール２２、およびモード切替モジュール２３）等のモジュールを記憶するために使用されることができる。
【０２３６】
プロセッサ１９１０は、メモリ１９２０の中に記憶されたソフトウェアプログラム、命令、およびモジュールを起動し、それによって、機能アプリケーションおよびデータ処理を実施する、すなわち、本実施形態の基地局側のデータ伝送方法を実装する。
【０２３７】
メモリ１９２０は、プログラム記憶エリアと、データ記憶エリアとを備えることができ、プログラム記憶エリアは、オペレーティングシステムおよび機能によって要求される少なくとも１つのアプリケーションプログラムを記憶することができ、データ伝送エリアは、端末使用等に従って作成されるデータを記憶することができる。これ以外にも、メモリ１９２０は、高速ランダムアクセスメモリを備えることができ、また、不揮発性メモリを備えることもできる。
【０２３８】
本開示の実施形態の技術的ソリューションは、１つのコンピュータデバイス（例えば、パーソナルコンピュータ、サーバ、またはネットワークデバイス等）に本開示の実施形態の方法のステップの全てもしくは一部を実行させるために使用される、１つ以上の命令のセットを備える、記憶媒体の中に記憶されたコンピュータソフトウェア製品の形態をとることができる。コンピュータ記憶媒体は、ＵＳＢフラッシュディスク、ハードディスク、読取専用メモリ（ＲＯＭ）、ランダムアクセスメモリ（ＲＡＭ）、磁気ディスク、または光ディスク等のプログラムコードを記憶し得る種々の記憶媒体を備える、不揮発性記憶媒体であることができ、これはまた、一過性記憶媒体であることもできる。
【０２３９】
本開示の実施形態はさらに、モビリティ管理エンティティの概略図を提供する。図２０を参照すると、モビリティ管理エンティティは、以下を備える。
【０２４０】
少なくとも１つのプロセッサ２０１０。図２０は、実施例として、１つのプロセッサ２０１０、ならびにメモリ２０２０を使用し、また、通信インターフェース２０３０と、バス２０４０とを備えることもでき、プロセッサ２０１０、メモリ２０２０、および通信インターフェース２０３０は、バス２０４０を通して相互と通信することができ、通信インターフェース２０３０は、情報伝送に使用されることができ、プロセッサ２０１０は、本実施形態のＭＭＥ側のデータ伝送方法を実行するために、メモリ２０２０上の論理命令を使用することができる。
【０２４１】
これ以外にも、メモリ２０２０の論理命令は、ソフトウェア機能ユニットとして実装されることができ、独立した製品として販売されるとき、コンピュータ可読記憶媒体上に記憶されることができる。
【０２４２】
コンピュータ可読記憶媒体として、メモリ２０２０は、ソフトウェアプログラム、コンピュータ実行可能プログラム、および本開示の実施形態において実行されるＭＭＥ側のデータ伝送方法に対応するプログラム／モジュール（例えば、図１６によって図示される伝送モジュール３１、受信機モジュール３２、およびモード切替モジュール３３）等のモジュールを記憶するために使用されることができる。プロセッサ２０１０は、メモリ２０２０の中に記憶されたソフトウェアプログラム、命令、およびモジュールを起動し、それによって、機能アプリケーションおよびデータ処理を実施する、すなわち、本実施形態のユーザ機器側のデータ伝送方法を実装する。
【０２４３】
メモリ２０２０は、プログラム記憶エリアと、データ記憶エリアとを備えることができ、プログラム記憶エリアは、オペレーティングシステムおよび機能によって要求される少なくとも１つのアプリケーションプログラムを記憶することができ、データ伝送エリアは、端末使用等に従って作成されるデータを記憶することができる。これ以外にも、メモリ２０２０は、高速ランダムアクセスメモリを備えることができ、また、不揮発性メモリを備えることもできる。プロセッサ２０１０は、メモリ２０２０の中に記憶されたソフトウェアプログラム、命令、およびモジュールを起動し、それによって、機能アプリケーションおよびデータ処理を実施する、すなわち、本実施形態のユーザ機器側のデータ伝送方法を実装する。
【０２４４】
本開示の実施形態の技術的ソリューションは、１つのコンピュータデバイス（例えば、パーソナルコンピュータ、サーバ、またはネットワークデバイス等）に本開示の実施形態の方法のステップの全てもしくは一部を実行させるために使用される、１つ以上の命令のセットを備える、記憶媒体の中に記憶されたコンピュータソフトウェア製品の形態をとることができる。コンピュータ記憶媒体は、ＵＳＢフラッシュディスク、ハードディスク、読取専用メモリ（ＲＯＭ）、ランダムアクセスメモリ（ＲＡＭ）、磁気ディスク、または光ディスク等のプログラムコードを記憶し得る種々の記憶媒体を備える、不揮発性記憶媒体であることができ、これはまた、一過性記憶媒体であることもできる。
【０２４５】
上記の方法のステップの全てまたは一部は、関連ハードウェア（例えば、プロセッサ）に命令するプログラムを用いて実施され得、プログラムは、ＲＯＭ、磁気ディスク、または光ディスク等のコンピュータ可読記憶メモリ上に記憶され得ることが、当業者に明白であろう。代替として、上記の実施形態のステップの全てまたは一部は、１つまたは複数の集積回路を使用して実装されることができる。対応して、上記の実施形態のモジュール／ユニットは、集積回路を伴って対応する機能を実装する等、ハードウェアの形態で実装されることができ、また、対応する機能を実装するようにメモリ上に記憶されたプログラム／命令を実行するプロセッサ等のソフトウェア機能ユニットを使用して実装されることもできる。本開示の実施形態は、ハードウェアおよびソフトウェアの任意の組み合わせであることができる。
【０２４６】
本開示の実施形態がこのようにして説明されるが、内容は、本開示およびその実施形態の理解を促進するように意図されているにすぎず、本開示を限定するように意図されていない。
【産業上の利用可能性】
【０２４７】
本開示の実施形態は、データ伝送のための方法、装置、およびシステムを提供する。本開示は、データ伝送のための方法、装置、およびシステムを提供する。本発明の実施形態では、ユーザ機器（ＵＥ）は、データ伝送モードの切替要求を能動的に開始し、それによって、変動するサービスのためのＱｏＳ要件を満たすとともに、データ伝送の知能を高める。
【図１】
2019508957.tif 000003
【図２】
2019508957.tif 000004
【図３】
2019508957.tif 000005
【図４】
2019508957.tif 000006
【図５】
2019508957.tif 000007
【図６】
2019508957.tif 000008
【図７】
2019508957.tif 000009
【図８】
2019508957.tif 000010
【図９】
2019508957.tif 000011
【図１０】
2019508957.tif 000012
【図１１】
2019508957.tif 000013
【図１２】
2019508957.tif 000014
【図１３】
2019508957.tif 000015
【図１４】
2019508957.tif 000016
【図１５】
2019508957.tif 000017
【図１６】
2019508957.tif 000018
【図１７】
2019508957.tif 000019
【図１８】
2019508957.tif 000020
【図１９】
2019508957.tif 000021
【図２０】
2019508957.tif 000022
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって行われる方法であって、
第１のメッセージをモビリティ管理エンティティ（ＭＭＥ）に伝送することであって、前記第１のメッセージは、データ伝送モードを制御プレーン（ＣＰ）モードからユーザプレーン（ＵＰ）モードに変更することを示す、ことと、
ワイヤレス通信ノードから、前記データ伝送モードを変更する命令を備える第２のメッセージを受信することと、
前記第２のメッセージの前記命令に基づいて、前記データ伝送モードを前記ＣＰモードから前記ＵＰモードに切り替えることと、
データ伝送のためにデータ無線ベアラ（ＤＲＢ）を確立することと
を含む、方法。
【請求項２】
前記第２のメッセージの前記命令は、ビットマップとして示される、請求項１に記載の方法。
【請求項３】
前記第２のメッセージの前記命令は、前記伝送モードを変更する理由を備える、請求項１に記載の方法。
【請求項４】
前記第１のメッセージは、前記ワイヤレス通信デバイスのサービスタイプに基づいて判定される、請求項１に記載の方法。
【請求項５】
前記第１のメッセージは、アップリンク非アクセス層（ＮＡＳ）メッセージである、請求項１に記載の方法。
【請求項６】
前記第２のメッセージは、無線リソース制御（ＲＲＣ）メッセージである、請求項１に記載の方法。
【請求項７】
モビリティ管理エンティティ（ＭＭＥ）によって行われる方法であって、
ワイヤレス通信デバイスから第１のメッセージを受信することであって、前記第１のメッセージは、データ伝送モードを制御プレーン（ＣＰ）モードからユーザプレーン（ＵＰ）モードに変更することを示す、ことと、
前記第１のメッセージに基づいて、ワイヤレス通信ノードに、前記データ伝送モードを変更する命令を備える第２のメッセージを前記ワイヤレス通信デバイスに伝送させることと、
データ伝送のためにデータ無線ベアラ（ＤＲＢ）を確立することと
を含む、方法。
【請求項８】
前記第２のメッセージの前記命令は、ビットマップとして示される、請求項７に記載の方法。
【請求項９】
前記第２のメッセージの前記命令は、前記伝送モードを変更する理由を備える、請求項７に記載の方法。
【請求項１０】
前記第１のメッセージは、前記ワイヤレス通信デバイスのサービスタイプに基づいて判定される、請求項７に記載の方法。
【請求項１１】
前記第１のメッセージは、アップリンク非アクセス層（ＮＡＳ）メッセージである、請求項７に記載の方法。
【請求項１２】
前記第２のメッセージは、無線リソース制御（ＲＲＣ）メッセージである、請求項７に記載の方法。
【請求項１３】
請求項１〜請求項１２のうちのいずれか１つに記載の方法を実行するためのコンピュータ実行可能命令をその上に記憶している、非一過性のコンピュータ可読媒体。
【請求項１４】
ワイヤレス通信デバイスであって、
第１のメッセージをモビリティ管理エンティティ（ＭＭＥ）に伝送するように構成されている、伝送機であって、前記第１のメッセージは、データ伝送モードを制御プレーン（ＣＰ）モードからユーザプレーン（ＵＰ）モードに変更することを示す、伝送機と、
ワイヤレス通信ノードから、前記データ伝送モードを変更する命令を備える第２のメッセージを受信するように構成されている、受信機と、
前記第２のメッセージの前記命令に基づいて、前記データ伝送モードを前記ＣＰモードから前記ＵＰモードに切り替え、データ伝送のためにデータ無線ベアラ（ＤＲＢ）を確立するように構成されている、少なくとも１つのプロセッサと
を備える、ワイヤレス通信デバイス。
【請求項１５】
前記第２のメッセージの前記命令は、ビットマップとして示される、請求項１４に記載のワイヤレス通信デバイス。
【請求項１６】
前記第２のメッセージの前記命令は、前記伝送モードを変更する理由を備える、請求項１４に記載のワイヤレス通信デバイス。
【請求項１７】
前記第１のメッセージは、前記ワイヤレス通信デバイスのサービスタイプに基づいて判定される、請求項１４に記載のワイヤレス通信デバイス。
【請求項１８】
前記第１のメッセージは、アップリンク非アクセス層（ＮＡＳ）メッセージである、請求項１４に記載のワイヤレス通信デバイス。
【請求項１９】
前記第２のメッセージは、無線リソース制御（ＲＲＣ）メッセージである、請求項１４に記載のワイヤレス通信デバイス。
【請求項２０】
モビリティ管理エンティティ（ＭＭＥ）であって、
ワイヤレス通信デバイスから第１のメッセージを受信するように構成されている、受信機であって、前記第１のメッセージは、データ伝送モードを制御プレーン（ＣＰ）モードからユーザプレーン（ＵＰ）モードに変更することを示す、受信機と、
前記第１のメッセージに基づいて、ワイヤレス通信ノードに、前記データ伝送モードを変更する命令を備える第２のメッセージを前記ワイヤレス通信デバイスに伝送させ、データ伝送のためにデータ無線ベアラ（ＤＲＢ）を確立するように構成されている、少なくとも１つのプロセッサと
を備える、ＭＭＥ。
【請求項２１】
前記第２のメッセージの前記命令は、ビットマップとして示される、請求項２０に記載のＭＭＥ。
【請求項２２】
前記第２のメッセージの前記命令は、前記伝送モードを変更する理由を備える、請求項２０に記載のＭＭＥ。
【請求項２３】
前記第１のメッセージは、前記ワイヤレス通信デバイスのサービスタイプに基づいて判定される、請求項２０に記載のＭＭＥ。
【請求項２４】
前記第１のメッセージは、アップリンク非アクセス層（ＮＡＳ）メッセージである、請求項２０に記載のＭＭＥ。
【請求項２５】
前記第２のメッセージは、無線リソース制御（ＲＲＣ）メッセージである、請求項２０に記載のＭＭＥ。
【手続補正２】
【補正対象書類名】明細書
【補正対象項目名】００１９
【補正方法】変更
【補正の内容】
【００１９】
本実施形態のデータ伝送のための方法、装置、およびシステム内で、ＵＥは、データ伝送モードを変更する命令を搬送する、アップリンクインターフェースメッセージを伝送し、続いて、ＵＥは、基地局によって伝送されるダウンリンクＲＲＣメッセージを受信し、同様に、ダウンリンクＲＲＣメッセージは、データ伝送モードを切り替える命令を含む。ＵＥは、したがって、ダウンリンクＲＲＣメッセージのデータ伝送モードを変更する命令に基づいて、データ伝送モード切替動作を実行し、データ伝送を実装するために切替後のデータ伝送モードを使用し、データ伝送モードは、ＣＰモードと、ＵＰモードと、ＬＴＥモードとを備える。本開示の実施形態では、ＵＥは、データ伝送モードを切り替える要求を能動的に開始し、このようにして、ＵＥとネットワーク側との間のデータ伝送は、異なる伝送モードの間で切り替えられることができ、それによって、異なるサービスのためのＱｏＳ要件を満たし、データ伝送の知能を高める。
本願明細書は、例えば、以下の項目も提供する。
（項目１）
データ伝送のための方法であって、
ＵＥが、基地局を通してアップリンクインターフェースメッセージをモビリティ管理エンティティ（ＭＭＥ）に伝送することであって、前記アップリンクインターフェースメッセージは、データ伝送モードを変更する命令を含み、データ伝送モードは、ＣＰモード、ＵＰモード、および／またはロングタームエボリューションモードを備える、ことと、
前記ＵＥが、前記基地局によって伝送されるダウンリンク無線リソース制御（ＲＲＣ）メッセージを受信することであって、前記ダウンリンクＲＲＣメッセージは、データ伝送モードを変更する命令を含む、ことと、
前記ＵＥが、データ伝送モード切替命令に従ってデータ伝送モードを切り替え、データ伝送のために前記切替後のデータ伝送モードを使用することと
を含む、方法。
（項目２）
前記切替後のデータ伝送モードは、前記ＵＰモードまたは前記ＬＴＥモードであり、切替前のデータ伝送モードは、前記ＣＰモードであり、前記ダウンリンクＲＲＣメッセージはさらに、確立を示すデータ無線ベアラ（ＤＲＢ）情報を備え、
前記ＵＥがデータ伝送モードを変更する前記命令に基づいてデータ伝送モードを切り替えた後に、前記方法はさらに、前記ＵＥが、確立を示す前記ＤＲＢ情報に基づいて、対応するＤＲＢ情報を確立することを含む、項目１に記載のデータ伝送方法。
（項目３）
前記切替後のデータ伝送モードは、前記ＣＰモードであり、前記ダウンリンクＲＲＣメッセージはさらに、削除を示すＤＲＢ情報を備え、
前記ＵＥがデータ伝送モードを変更する前記命令に基づいてデータ伝送モードを切り替えた後に、前記方法はさらに、前記ＵＥが、削除を示す前記ＤＲＢ情報に基づいて、対応するＤＲＢ情報を削除することを含む、項目１に記載のデータ伝送方法。
（項目４）
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記ダウンリンクＲＲＣメッセージはさらに、以下：確立を示すＤＲＢ情報、再構成を示すＤＲＢ情報、および削除を示すＤＲＢ情報のうちの１つ以上を備え、
前記ＵＥがデータ伝送モードを変更する前記命令に基づいてデータ伝送モードを切り替えた後に、前記方法はさらに、前記ＵＥが、前記ダウンリンクＲＲＣメッセージのコンテンツに基づいて、対応するＤＲＢ情報を構成することを含む、項目１に記載のデータ伝送方法。
（項目５）
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、項目１〜項目４のいずれかに記載のデータ伝送方法。
（項目６）
前記ＵＥが前記基地局を通して前記アップリンクインターフェースメッセージを前記モビリティ管理エンティティ（ＭＭＥ）に伝送する前に、前記方法はさらに、
前記ＵＥが、前記アタッチプロシージャを使用し、前記基地局とのデータ伝送を実装することと、
前記ＵＥが、前記基地局および前記ＭＭＥのためのデータ伝送モードサポート状況を記憶することと、
前記ＵＥが、現在のサービスタイプに従ってデータ伝送モードを切り替えることを判定することと
を含む、項目１〜項目４のいずれかに記載のデータ伝送方法。
（項目７）
前記ＵＥが前記基地局を通して前記アップリンクインターフェースメッセージを前記モバイル管理エンティティ（ＭＭＥ）に伝送することは、前記ＵＥが、データ伝送モードを変更する命令を搬送するアップリンクＲＲＣメッセージを前記基地局に伝送することを含み、
前記アップリンクＲＲＣメッセージは、前記アップリンクインターフェースメッセージを前記ＭＭＥに伝送するように前記基地局に命令するために使用され、
前記ダウンリンクＲＲＣメッセージは、前記基地局が受信されたダウンリンクインターフェースメッセージに基づいてデータ伝送モードを切り替えた後に、前記ＵＥに伝送され、前記ダウンリンクインターフェースメッセージは、データ伝送モードを変更する命令を含む、項目１〜項目４のいずれかに記載のデータ伝送方法。
（項目８）
前記ＵＥが前記基地局を通して前記アップリンクインターフェースメッセージを前記モバイル管理エンティティ（ＭＭＥ）に伝送することは、前記ＵＥが、データ伝送モードを変更する命令を搬送するアップリンク非アクセス層（ＮＡＳ）メッセージを前記基地局に伝送することを含み、
前記アップリンクＮＡＳメッセージは、前記アップリンクインターフェースメッセージを前記ＭＭＥに伝送するように前記基地局に命令するために使用され、
前記ダウンリンクＲＲＣメッセージは、前記基地局が受信されたダウンリンクインターフェースメッセージに基づいてデータ伝送モードを切り替えた後に、前記ＵＥに伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、項目１〜項目４のいずれかに記載のデータ伝送方法。
（項目９）
データ伝送のための方法であって、
基地局が、アップリンクインターフェースメッセージをモビリティ管理エンティティ（ＭＭＥ）に伝送することであって、前記アップリンクインターフェースメッセージは、データ伝送モードを変更する命令を含み、データ伝送モードは、ＣＰモード、ＵＰモード、および／またはロングタームエボリューションモードを備える、ことと、
前記基地局が、前記ＭＭＥによって伝送されるダウンリンクインターフェースメッセージを受信することであって、前記ダウンリンクインターフェースメッセージは、データ伝送モードを変更する命令を含む、ことと、
前記基地局が、データ伝送モードを変更する前記命令に従ってデータ伝送モードを切り替えることと、
前記基地局が、ダウンリンク無線リソース制御（ＲＲＣ）メッセージをＵＥに伝送することであって、前記ダウンリンクＲＲＣメッセージは、データ伝送モードを変更する命令を含む、ことと
を含む、方法。
（項目１０）
前記切替後のデータ伝送モードは、前記ＵＰモードまたは前記ＬＴＥモードであり、切替前のデータ伝送モードは、前記ＣＰモードであり、前記ダウンリンクインターフェースメッセージはさらに、確立を示すサービスベアラ情報を備え、
前記基地局がデータ伝送モードを変更する前記命令に従ってデータ伝送モードを切り替えた後に、前記方法はさらに、前記基地局が、確立を示す前記サービスベアラ情報に基づいて、対応するサービスベアラ情報を確立することを含む、項目９に記載のデータ伝送方法。
（項目１１）
前記基地局がデータ伝送モードを変更する前記命令に従ってデータ伝送モードを切り替えた後に、前記方法はさらに、前記基地局が、前記切替後のデータ伝送モードに基づいて、ベアラサービスのデータ無線ベアラ（ＤＲＢ）情報を確立することを含み、前記ダウンリンクＲＲＣメッセージはさらに、確立を示すＤＲＢ情報を備える、項目１０に記載のデータ伝送方法。
（項目１２）
前記切替後のデータ伝送モードは、前記ＣＰモードであり、前記ダウンリンクインターフェースメッセージはさらに、削除を示すサービスベアラ情報を備え、
前記基地局がデータ伝送モードを変更する前記命令に従ってデータ伝送モードを切り替えた後に、前記方法はさらに、前記基地局が、削除を示す前記サービスベアラ情報に基づいて、対応するサービスベアラ情報を削除することを含む、項目９に記載のデータ伝送方法。
（項目１３）
前記基地局がデータ伝送モードを変更する前記命令に従ってデータ伝送モードを切り替えた後に、前記方法はさらに、前記基地局が、前記切替後のデータ伝送モードに従って、前記ベアラサービスの前記データ無線ベアラ（ＤＲＢ）情報を削除することを含み、前記ダウンリンクＲＲＣメッセージはさらに、削除を示すＤＲＢ情報を備える、項目１２に記載のデータ伝送方法。
（項目１４）
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記ダウンリンクインターフェースメッセージはさらに、以下：確立を示すサービスベアラ情報、再構成を示すサービスベアラ情報、および削除を示すサービスベアラ情報のうちの１つ以上を備え、
前記基地局がデータ伝送モードを変更する前記命令に従ってデータ伝送モードを切り替えた後に、前記方法はさらに、前記基地局が、前記ダウンリンクインターフェースメッセージのコンテンツに基づいて、対応するサービスベアラ情報を構成することを含む、項目９に記載のデータ伝送方法。
（項目１５）
前記基地局がデータ伝送モードを変更する前記命令に従ってデータ伝送モードを切り替えた後に、前記方法はさらに、前記基地局が、前記切替後のデータ伝送モードに基づいて、前記ベアラサービスのデータ無線ベアラ（ＤＲＢ）情報を構成することを含み、前記ダウンリンクＲＲＣメッセージはさらに、以下：確立を示すＤＲＢ情報、再構成を示すＤＲＢ情報、および削除を示すＤＲＢ情報のうちの１つ以上を備える、項目１４に記載のデータ伝送方法。
（項目１６）
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、項目９〜項目１５のいずれかに記載のデータ伝送方法。
（項目１７）
前記基地局が、前記アップリンクインターフェースメッセージを前記モビリティ管理エンティティ（ＭＭＥ）に伝送することは、前記基地局が、受信されたアップリンクＲＲＣメッセージに基づいて、前記アップリンクインターフェースメッセージを前記ＭＭＥに伝送することを含み、
前記アップリンクＲＲＣメッセージは、データ伝送モードを変更する命令を含み、データ伝送モードを変更する前記命令は、現在のサービスタイプに従って前記ＵＥがデータ伝送モードを切り替えることを判定した後に、前記アップリンクＲＲＣメッセージに追加され、
前記ダウンリンクインターフェースメッセージは、前記ＭＭＥがデータ伝送モードを変更する前記命令に基づいてデータ伝送モードを切り替えた後に、前記基地局に伝送される、項目９〜項目１５のいずれかに記載のデータ伝送方法。
（項目１８）
前記基地局が、前記アップリンクインターフェースメッセージを前記モビリティ管理エンティティ（ＭＭＥ）に伝送することは、前記基地局が、受信されたアップリンク非アクセス層（ＮＡＳ）メッセージに基づいて、前記アップリンクインターフェースメッセージを前記ＭＭＥに伝送することを含み、
前記アップリンクＮＡＳメッセージは、データ伝送モードを変更する命令を含み、データ伝送モードを変更する前記命令は、現在のサービスタイプに従って前記ＵＥがデータ伝送モードを切り替えることを判定した後に、前記アップリンクＮＡＳメッセージに追加され、
前記ダウンリンクインターフェースメッセージは、前記ＭＭＥがデータ伝送モードを切り替える前記命令に基づいてデータ伝送モードを切り替えた後に、前記基地局に伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、項目９〜項目１５のいずれかに記載のデータ伝送方法。
（項目１９）
データ伝送のための方法であって、
モビリティ管理エンティティ（ＭＭＥ）が、基地局によって伝送されるアップリンクインターフェースメッセージを受信することであって、前記アップリンクインターフェースメッセージは、データ伝送モードを変更する命令を含み、データ伝送モードは、ＣＰモード、ＵＰモード、および／またはロングタームエボリューションモードを備える、ことと、
前記ＭＭＥが、データ伝送モードを変更する前記命令に従ってデータ伝送モードを切り替えることと、
前記ＭＭＥが、ダウンリンクインターフェースメッセージを前記基地局に伝送することであって、前記ダウンリンクインターフェースメッセージは、データ伝送モードを変更する命令を含む、ことと
を含む、方法。
（項目２０）
前記切替後のデータ伝送モードは、前記ＵＰモードまたは前記ＬＴＥモードであり、切替前のデータ伝送モードは、前記ＣＰモードであり、前記ダウンリンクインターフェースメッセージはさらに、確立を示すサービスベアラ情報を備える、項目１９に記載のデータ伝送方法。
（項目２１）
前記切替後のデータ伝送モードは、前記ＣＰモードであり、前記ダウンリンクインターフェースメッセージはさらに、削除を示すサービスベアラ情報を備える、項目１９に記載のデータ伝送方法。
（項目２２）
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記ダウンリンクインターフェースメッセージはさらに、以下：確立を示すサービスベアラ情報、再構成を示すサービスベアラ情報、および削除を示すサービスベアラ情報のうちの１つ以上を備える、項目１９に記載のデータ伝送方法。
（項目２３）
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、項目１９〜項目２２のいずれかに記載のデータ伝送方法。
（項目２４）
前記アップリンクインターフェースメッセージは、前記基地局がアップリンク無線リソース制御（ＲＲＣ）メッセージを受信した後に、前記ＭＭＥに伝送され、前記アップリンクＲＲＣメッセージは、データ伝送モードを変更する命令を含み、データ伝送モードを変更する前記命令は、現在のサービスタイプに基づいてＵＥがデータ伝送モードを切り替えることを判定した後に、前記アップリンクＲＲＣメッセージに追加される、項目１９〜項目２２のいずれかに記載のデータ伝送方法。
（項目２５）
前記アップリンクインターフェースメッセージは、前記基地局がアップリンク非アクセス層（ＮＡＳ）メッセージを受信した後に、前記ＭＭＥに伝送され、前記アップリンクＮＡＳメッセージは、データ伝送モードを変更する命令を含み、データ伝送モードを変更する前記命令は、現在のサービスタイプに従ってＵＥがデータ伝送モードを切り替えることを判定した後に、前記アップリンクＮＡＳメッセージに追加され、前記ダウンリンクインターフェースメッセージは、データ伝送モードを変更する命令を搬送するダウンリンクＲＲＣメッセージを前記ＵＥに伝送するように前記基地局に命令するために使用され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、項目１９〜項目２２のいずれかに記載のデータ伝送方法。
（項目２６）
ＵＥのために構成されたデータ伝送装置であって、
基地局を通してアップリンクインターフェースメッセージをモビリティ管理エンティティ（ＭＭＥ）に伝送するように構成される、伝送モジュールであって、前記アップリンクインターフェースメッセージは、データ伝送モードを変更する命令を含み、データ伝送モードは、ＣＰモード、ＵＰモード、および／またはロングタームエボリューションモードを備える、伝送モジュールと、
前記基地局によって伝送されるダウンリンク無線リソース制御（ＲＲＣ）メッセージを受信するように構成される、前記伝送モジュールに接続された受信機モジュールであって、前記ダウンリンクＲＲＣメッセージは、データ伝送モードを変更する命令を含む、受信機モジュールと、
前記受信機モジュールによって受信される、データ伝送モードを切り替える命令に従って、データ伝送モードを切り替えるように構成される、前記受信機モジュールに接続されたモード切替モジュールと
を備え、
前記伝送モジュールおよび前記受信機モジュールはさらに、前記モード切替モジュールがデータ伝送を実装するために切り替わったデータ伝送モードを使用するように構成される、データ伝送装置。
（項目２７）
前記切替後のデータ伝送モードは、前記ＵＰモードまたは前記ＬＴＥモードであり、切替前のデータ伝送モードは、前記ＣＰモードであり、前記ダウンリンクＲＲＣメッセージはさらに、確立を示すデータ無線ベアラ（ＤＲＢ）情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信される前記データ伝送モード切替命令に基づいてデータ伝送モードを切り替えた後に、前記受信機モジュールによって受信される確立を示す前記ＤＲＢ情報に基づいて、対応するＤＲＢ情報を確立するように構成される、項目２６に記載のデータ伝送装置。
（項目２８）
前記切替後のデータ伝送モードは、前記ＣＰモードであり、前記受信機モジュールによって受信される前記ダウンリンクＲＲＣメッセージはさらに、削除を示すＤＲＢ情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される削除を示す前記ＤＲＢ情報に基づいて、対応するＤＲＢ情報を削除するように構成される、項目２６に記載のデータ伝送装置。
（項目２９）
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記受信機モジュールによって受信される前記ダウンリンクＲＲＣメッセージはさらに、以下：確立を示すＤＲＢ情報、再構成を示すＤＲＢ情報、および削除を示すＤＲＢ情報のうちの１つ以上を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される前記ダウンリンクＲＲＣメッセージのコンテンツに基づいて、対応するＤＲＢ情報を構成するように設定される、項目２６に記載のデータ伝送装置。
（項目３０）
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、項目２６〜項目２９のいずれかに記載のデータ伝送装置。
（項目３１）
前記伝送モジュールおよび前記受信機モジュールはさらに、前記伝送モジュールが前記アップリンクインターフェースメッセージを前記ＭＭＥに伝送するように前記基地局に命令する前に、アタッチプロシージャを通して前記基地局とのデータ伝送を実装するように構成され、前記ＵＥは、前記基地局および前記ＭＭＥのためのデータ伝送モードサポート状況を記憶し、
前記データ伝送装置はさらに、前記伝送モジュールに接続され、現在のサービスタイプに従って前記データ伝送モードを判定するように構成される、モード判定モジュールを備える、項目２６〜項目２９のいずれかに記載のデータ伝送装置。
（項目３２）
前記伝送モジュールは、データ伝送モードを変更する命令を搬送するアップリンクＲＲＣメッセージを前記基地局に伝送するように構成され、
前記受信機モジュールによって受信される前記ダウンリンクＲＲＣメッセージは、前記基地局が受信されたダウンリンクインターフェースメッセージに基づいてデータ伝送モードを切り替えた後に、前記ＵＥに伝送され、前記ダウンリンクインターフェースメッセージは、データ伝送モードを変更する命令を含む、項目２６〜項目２９のいずれかに記載のデータ伝送装置。
（項目３３）
前記伝送モジュールは、データ伝送モードを変更する命令を搬送するアップリンク非アクセス層（ＮＡＳ）メッセージを前記基地局に伝送するように構成され、前記アップリンクＮＡＳメッセージは、前記アップリンクインターフェースメッセージを前記ＭＭＥに伝送するように前記基地局に命令するために使用され、
前記受信機モジュールによって受信される前記ダウンリンクＲＲＣメッセージは、前記基地局が受信されたダウンリンクインターフェースメッセージに基づいてデータ伝送モードを切り替えた後に、前記ＵＥに伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、項目２６〜項目２９のいずれかに記載のデータ伝送装置。
（項目３４）
基地局のために構成されたデータ伝送装置であって、
アップリンクインターフェースメッセージをＭＭＥに伝送するように構成される、伝送モジュールであって、前記アップリンクインターフェースメッセージは、データ伝送モードを変更する命令を含み、データ伝送モードは、ＣＰモード、ＵＰモード、および／またはロングタームエボリューションモードを備える、伝送モジュールと、
前記ＭＭＥによって伝送されるダウンリンクインターフェースメッセージを受信するように構成される、前記伝送モジュールに接続された受信機モジュールであって、前記ダウンリンクインターフェースメッセージは、データ伝送モードを変更する命令を含む、受信機モジュールと、
前記受信機モジュールによって受信される、データ伝送モードを切り替える命令に従って、データ伝送モードを切り替えるように構成される、前記受信機モジュールに接続されたモード切替モジュールと
を備え、
前記伝送モジュールはさらに、ダウンリンクＲＲＣメッセージをＵＥに伝送するように構成され、前記ダウンリンクＲＲＣメッセージは、データ伝送モードを変更する命令を含む、データ伝送装置。
（項目３５）
前記切替後のデータ伝送モードは、前記ＵＰモードまたは前記ＬＴＥモードであり、切替前のデータ伝送モードは、前記ＣＰモードであり、前記受信機モジュールによって受信される前記ダウンリンクインターフェースメッセージはさらに、確立を示すサービスベアラ情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される確立を示す前記サービスベアラ情報に基づいて、対応するサービスベアラ情報を確立するように構成される、項目３４に記載のデータ伝送装置。
（項目３６）
前記サービスベアラモジュールはまた、前記モード切替モジュールが前記受信機モジュールによって受信されるデータ伝送モードを変更する前記命令に基づいてデータ伝送モードを切り替えた後に、前記モード切替モジュールが切り替わったデータ伝送モードに基づいて、ベアラサービスのデータ無線ベアラ（ＤＲＢ）情報も確立し、前記伝送モジュールによって伝送される前記ダウンリンクＲＲＣメッセージはさらに、確立を示すＤＲＢ情報を備える、項目３５に記載のデータ伝送装置。
（項目３７）
前記切替後のデータ伝送モードは、前記ＣＰモードであり、前記受信機モジュールによって受信される前記ダウンリンクインターフェースメッセージはさらに、削除を示すサービスベアラ情報を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される削除を示す前記サービスベアラ情報に基づいて、対応するサービスベアラ情報を削除するように構成される、項目３４に記載のデータ伝送装置。
（項目３８）
前記サービスベアラモジュールは、前記モード切替モジュールが前記受信機モジュールによって受信されるデータ伝送モードを変更する前記命令に基づいてデータ伝送モードを切り替えた後に、前記モード切替モジュールが切り替わったデータ伝送モードに基づいて、ベアラサービスのデータ無線ベアラ（ＤＲＢ）情報を削除し、前記伝送モジュールによって伝送される前記ダウンリンクＲＲＣメッセージはさらに、削除を示すＤＲＢ情報を備える、項目３７に記載のデータ伝送装置。
（項目３９）
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記受信機モジュールによって受信される前記ダウンリンクインターフェースメッセージはさらに、以下：確立を示すサービスベアラ情報、再構成を示すサービスベアラ情報、および削除を示すサービスベアラ情報のうちの１つ以上を備え、
前記データ伝送装置はさらに、サービスベアラモジュールを備え、前記サービスベアラモジュールは、それぞれ、前記受信機モジュールおよび前記モード切替モジュールに接続され、前記モード切替モジュールが前記受信機モジュールによって受信されるデータ伝送モードを変更する前記命令に基づいてデータ伝送モードを切り替えた後に、前記受信機モジュールによって受信される前記ダウンリンクインターフェースメッセージのコンテンツに基づいて、対応するサービスベアラ情報を構成するように設定される、項目３４に記載のデータ伝送装置。
（項目４０）
前記サービスベアラモジュールは、前記モード切替モジュールが前記受信機モジュールによって受信されるデータ伝送モードを変更する前記命令に基づいてデータ伝送モードを切り替えた後に、前記モード切替モジュールが切り替わったデータ伝送モードに基づいて、ベアラサービスのデータ無線ベアラ（ＤＲＢ）情報を構成し、前記伝送モジュールによって伝送される前記ダウンリンクＲＲＣメッセージはさらに、以下：確立を示すＤＲＢ情報、再構成を示すＤＲＢ情報、および削除を示すＤＲＢ情報のうちの１つ以上を備える、項目３９に記載のデータ伝送装置。
（項目４１）
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、項目３４〜項目４０のいずれかに記載のデータ伝送装置。
（項目４２）
前記伝送モジュールは、前記受信機モジュールによって受信される前記アップリンクＲＲＣメッセージに基づいて、前記アップリンクインターフェースメッセージを前記ＭＭＥに伝送するように構成され、前記アップリンクＲＲＣメッセージは、データ伝送モードを変更する命令を含み、データ伝送モードを変更する前記命令は、現在のサービスタイプに従って前記ＵＥがデータ伝送モードを切り替えることを判定した後に、前記アップリンクＲＲＣメッセージに追加され、
前記受信機モジュールによって受信される前記ダウンリンクインターフェースメッセージは、前記ＭＭＥがデータ伝送モードを変更する前記命令に従ってデータ伝送モードを切り替えた後に、前記基地局に伝送される、項目３４〜項目４０のいずれかに記載のデータ伝送装置。
（項目４３）
前記伝送モジュールは、前記受信機モジュールによって受信されるアップリンク非アクセス層（ＮＡＳ）メッセージに基づいて、前記アップリンクインターフェースメッセージを前記ＭＭＥに伝送するように構成され、前記アップリンクＮＡＳメッセージは、データ伝送モードを変更する命令を含み、データ伝送モードを変更する前記命令は、現在のサービスタイプに従って前記ＵＥがデータ伝送モードを切り替えることを判定した後に、前記アップリンクＮＡＳメッセージに追加され、
前記受信機モジュールによって受信される前記ダウンリンクインターフェースメッセージは、前記ＭＭＥがデータ伝送モードを切り替える前記命令に従ってデータ伝送モードを切り替えた後に、前記基地局に伝送され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、項目３４〜項目４０のいずれかに記載のデータ伝送装置。
（項目４４）
モビリティ管理エンティティ（ＭＭＥ）のために構成されたデータ伝送装置であって、
基地局によって伝送されるアップリンクインターフェースメッセージを受信するように構成される、受信機モジュールであって、前記アップリンクインターフェースメッセージは、データ伝送モードを変更する命令を含み、データ伝送モードは、ＣＰモード、ＵＰモード、および／またはロングタームエボリューションモードを備える、受信機モジュールと、
前記受信機モジュールによって受信されるデータ伝送モードを切り替える命令に従って、データ伝送モードを切り替えるように構成される、前記受信機モジュールに接続されたモード切替モジュールと、
ダウンリンクインターフェースメッセージを前記基地局に伝送するように構成される、それぞれ、前記受信機モジュールおよび前記モード切替モジュールに接続された伝送モジュールであって、前記ダウンリンクインターフェースメッセージは、データ伝送モードを変更する命令を含む、伝送モジュールと
を備える、データ伝送装置。
（項目４５）
前記切替後のデータ伝送モードは、前記ＵＰモードまたは前記ＬＴＥモードであり、切替前のデータ伝送モードは、前記ＣＰモードであり、前記伝送モジュールによって伝送される前記ダウンリンクインターフェースメッセージはさらに、確立を示すサービスベアラ情報を備える、項目４４に記載のデータ伝送装置。
（項目４６）
前記切替後のデータ伝送モードは、前記ＣＰモードであり、前記伝送モジュールによって伝送される前記ダウンリンクインターフェースメッセージはさらに、削除を示すサービスベアラ情報を備える、項目４４に記載のデータ伝送装置。
（項目４７）
前記切替後のデータ伝送モードは、前記ＵＰモードであり、切替前のデータ伝送モードは、前記ＬＴＥモードであり、または前記切替後のデータ伝送モードは、前記ＬＴＥモードであり、前記切替前のデータ伝送モードは、前記ＵＰモードであり、前記伝送モジュールによって伝送される前記ダウンリンクインターフェースメッセージはさらに、以下：確立を示すサービスベアラ情報、再構成を示すサービスベアラ情報、および削除を示すサービスベアラ情報のうちの１つ以上を備える、項目４４に記載のデータ伝送装置。
（項目４８）
データ伝送モードを変更する前記命令は、切り替えられる標的データ伝送モードを備え、または、
データ伝送モードを変更する前記命令は、ビットマップを備え、前記ビットマップは、前記標的データ伝送モードに切り替わるように命令するために使用され、または、
データ伝送モードを変更する前記命令は、データ伝送モードを切り替える理由を備える、項目４４〜項目４７のいずれかに記載のデータ伝送装置。
（項目４９）
前記受信機モジュールによって受信される前記アップリンクインターフェースメッセージは、前記基地局がアップリンク無線リソース制御（ＲＲＣ）メッセージを受信した後に、前記ＭＭＥに伝送され、前記アップリンクＲＲＣメッセージは、データ伝送モードを変更する命令を含み、データ伝送モードを変更する前記命令は、現在のサービスタイプに基づいて前記ＵＥがデータ伝送モードを切り替えることを判定した後に、前記アップリンクＲＲＣメッセージに追加される、項目４４〜項目４７のいずれかに記載のデータ伝送装置。
（項目５０）
前記受信機モジュールによって受信される前記アップリンクインターフェースメッセージは、前記基地局がアップリンク非アクセス層メッセージを受信した後に、前記ＭＭＥに伝送され、前記アップリンクＮＡＳメッセージは、データ伝送モードを変更する命令を含み、データ伝送モードを変更する前記命令は、現在のサービスタイプに従って前記ＵＥがデータ伝送モードを切り替えることを判定した後に、前記アップリンクＮＡＳメッセージに追加され、前記伝送モジュールによって伝送される前記ダウンリンクインターフェースメッセージは、データ伝送モードを変更する命令を搬送するダウンリンクＲＲＣメッセージを前記ＵＥに伝送するように前記基地局に命令するために使用され、ダウンリンクＮＡＳメッセージは、前記ダウンリンクインターフェースメッセージおよび前記ダウンリンクＲＲＣメッセージにアタッチされ、前記ダウンリンクＮＡＳメッセージは、データ伝送モードを変更する命令を含む、項目４４〜項目４７のいずれかに記載のデータ伝送装置。
（項目５１）
ＵＥと、基地局と、モビリティ管理エンティティ（ＭＭＥ）とを備える、データ伝送のためのシステムであって、
前記ＵＥは、項目２６〜項目３３のうちのいずれかに記載のデータ伝送装置を有するように構成され、前記基地局は、項目３４〜項目４３のうちのいずれかに記載のデータ伝送装置を有するように構成され、ＭＭＥは、項目４４〜項目５０のうちのいずれかに記載のデータ伝送装置を有するように構成される、システム。
（項目５２）
コンピュータ実行可能命令を記憶する、非一過性のコンピュータ可読記憶媒体であって、前記コンピュータ実行可能命令は、項目１〜項目８のうちのいずれかに記載の方法を実行するように構成される、非一過性のコンピュータ可読記憶媒体。
（項目５３）
コンピュータ実行可能命令を記憶する、非一過性のコンピュータ可読記憶媒体であって、前記コンピュータ実行可能命令は、項目９〜項目１８のうちのいずれかに記載の方法を実行するように構成される、非一過性のコンピュータ可読記憶媒体。
（項目５４）
コンピュータ実行可能命令を記憶する、非一過性のコンピュータ可読記憶媒体であって、前記コンピュータ実行可能命令は、項目１９〜項目２５のうちのいずれかに記載の方法を実行するように構成される、非一過性のコンピュータ可読記憶媒体。
【国際調査報告】
2019508957.tif 000023
2019508957.tif 000024
2019508957.tif 000025
2019508957.tif 000026